(57)【要約】【課題】生体分子と検体との接触が不十分になることを抑制可能とする。【解決手段】標的を含む検体を保持可能な検体保持部を有する検体保持部材を支持する支持部と、支持部に支持された検体保持部材に対し、標的と反応可能であって生体分子アレイに含まれる生体分子が検体保持部に保持された検体に浸漬し且つ生体分子が検体保持部に接触しないように生体分子アレイが保持部により保持された状態で、検体保持部に保持された検体の異物に関する情報を検出する検出部と、を備える。【選択図】図４
2015158380.tif 000002
【特許請求の範囲】
【請求項１】
標的を含む検体を保持可能な検体保持部を有する検体保持部材を支持する支持部と、
前記支持部に支持された前記検体保持部材に対し、前記標的と反応可能であって生体分子アレイに含まれる生体分子が前記検体保持部に保持された検体に浸漬し且つ前記生体分子が前記検体保持部に接触しないように前記生体分子アレイが保持部により保持された状態で、前記検体保持部に保持された検体の異物に関する情報を検出する検出部とを備える検出装置。
【請求項２】
前記検出部は、
光を射出する光源部と、
前記光源部から射出され、前記検体保持部材及び前記保持部のいずれかと前記生体分子アレイとを介した光を受光する受光部と、
を備える請求項１に記載の検出装置。
【請求項３】
前記光源部は、赤外光を発する
請求項２に記載の検出装置。
【請求項４】
前記光源部は、前記検体保持部により保持された検体を加熱する加熱装置を備える
請求項３記載の検出装置。
【請求項５】
前記光源部が発した前記赤外光を前記検体に入射する位置に導く導波路を備える
請求項４または請求項５に記載の検出装置。
【請求項６】
前記支持部と前記生体分子アレイを介した光を偶数回反射して前記受光部に入射させる反射装置を備える
請求項２から請求項５のいずれか一項に記載の検出装置。
【請求項７】
前記検出部は、前記検体の液位を検出して前記情報を検出する
請求項１に記載の検出装置。
【請求項８】
前記検出部は、静電容量センサを備える
請求項７に記載の検出装置。
【請求項９】
前記保持部は、前記生体分子アレイを保持する保持面と、前記保持面に突設され前記保持部よりも大きな誘電率を有する指標部とを備える
請求項８に記載の検出装置。
【請求項１０】
前記検出部の少なくとも一部は、前記複数の検体保持部毎に設けられる
請求項１から請求項９のいずれか一項に記載の検出装置。
【請求項１１】
前記検体保持部は、第１方向及び該第１方向と交叉する第２方向に沿ったマトリクス状に配列され、
前記検出部は、前記第１方向に沿って配列された複数の前記検体保持部を一括的に検出可能であり、
前記検出部の少なくとも一部を前記第２方向に駆動する駆動部を備える
請求項１から請求項１０のいずれか一項に記載の検出装置。
【請求項１２】
前記検体保持部材は、前記第２方向に沿って複数配置され、
前記駆動部は、前記検出部の少なくとも一部を前記複数の検体保持部材に跨る範囲に亘って駆動可能である
請求項１１に記載の検出装置。
【請求項１３】
前記検体保持部材は、前記第２方向に沿って複数配置され、
前記検出部は、前記複数の検体保持部材のうち、少なくとも一つの検体保持部材を含むグループが複数設定されたときに、前記グループ毎に設けられ、
前記駆動部は、前記検出部の少なくとも一部を前記グループ毎に駆動する
請求項１１に記載の検出装置。
【請求項１４】
前記検出部の少なくとも一部を前記第２方向のうち第１の向きで駆動した後に、前記第１の向きとは逆向きの第２の向きで駆動するように前記駆動部を制御する駆動制御部を備える
請求項１２または請求項１３に記載の検出装置。
【請求項１５】
前記検体保持部は、第１方向及び該第１方向と交叉する第２方向に沿ったマトリクス状に配列され、
前記検出部の少なくとも一部を前記第１方向及び前記第２方向に駆動する駆動部を備える
請求項１から請求項９のいずれか一項に記載の検出装置。
【請求項１６】
請求項１から請求項１５のいずれか一項に記載の検出装置と、
前記標的を含む前記検体を前記検体保持部に分注する分注部と、
を備えるバイオアッセイ装置。
【請求項１７】
前記検出した前記情報に基づいて前記異物が存在すると判定した場合は、該異物を前記検体から離脱させるための所定の動作を行う離脱部を備える
請求項１６に記載のバイオアッセイ装置。    
【請求項１８】
前記離脱部は、前記保持部を前記検体保持部に対する挿抜方向に駆動する第２駆動部と、少なくとも前記保持部の前記挿抜方向の位置及び駆動速度を調整するように前記第２駆動部を制御する第２制御部とを備える
請求項１７に記載のバイオアッセイ装置。
【請求項１９】
前記離脱部は、前記検体に流れを生じさせる
請求項１７に記載のバイオアッセイ装置。
【請求項２０】
前記検体保持部に保持された前記検体を流動させるための加振部を備える
請求項１６から請求項１９のいずれか一項に記載のバイオアッセイ装置。
【請求項２１】
前記支持部は、前記検体保持部材を挟持する弾性部を備え、
前記加振部は、前記支持部に設けられ前記弾性部を介して前記検体保持部材を振動させる
請求項２０記載のバイオアッセイ装置。
【請求項２２】
前記複数の検体保持部は、前記検体保持部材に第１方向及び該第１方向と交叉する第２方向に沿ったマトリクス状に配列され、
前記加振部は、前記検体保持部材の前記第１方向への移動と、前記検体保持部材の前記第２方向への移動とを組み合わせて、前記第１方向及び前記第２方向と直交する第３方向と平行な軸周りに旋回させる旋回駆動装置を備える
請求項２０に記載のバイオアッセイ装置。
【請求項２３】
前記支持部は、前記検体保持部材を前記検出部による前記情報の検出を可能に前記検出部側から支持するプレート材を備える
請求項１６から請求項２２のいずれか一項に記載のバイオアッセイ装置。
【請求項２４】
請求項１６から請求項２３のいずれか一項に記載のバイオアッセイ装置と、
前記標的と前記生体分子との親和性を測定する測定装置と、
を備えるスクリーニング装置。
【請求項２５】
前記測定装置は、前記検出部の検出結果に基づいて、複数の前記生体分子を選択的に測定する請求項２４に記載のスクリーニング装置。
【請求項２６】
標的を含む検体を保持可能な検体保持部を有する検体保持部材を支持することと、
前記支持された前記検体保持部材に対し、前記標的と反応可能であって生体分子アレイに含まれる生体分子が前記検体保持部に保持された検体に浸漬し且つ前記生体分子が前記検体保持部に接触しないように前記生体分子アレイを保持部で保持することと、
前記支持された前記検体保持部材に対して前記生体分子アレイが前記保持部により前記保持された状態で、前記検体保持部に保持された検体の異物に関する情報を検出することと、
を含む検出方法。
【請求項２７】
前記検体保持部材及び前記保持部を透過する光を射出することと、
前記検体保持部材及び前記保持部のいずれかと、前記生体分子アレイとを介した光を受光することと、
を含む請求項２６に記載の検出方法。    
【請求項２８】
前記検出した前記情報に基づいて、前記異物が存在するか否かを判定することと、
前記異物が存在すると判定した場合は、前記異物を除去させることと、
を含む請求項２６または請求項２７に記載の検出方法。    
【請求項２９】
請求項２６から請求項２８のいずれか一項に記載の検出方法を用いて前記生体分子アレイをバイオアッセイすることと、
前記検出した前記情報に基づいて、前記標的と前記生体分子との親和性を測定することと、
を含むスクリーニング方法。
【請求項３０】
前記検出した前記情報に基づいて、前記生体分子アレイに含まれる前記生体分子のうち前記親和性を測定する前記生体分子を選択することと、
を含む請求項２９に記載のスクリーニング方法。
【発明の詳細な説明】
【技術分野】
【０００１】
本発明は、検出装置、検出方法、バイオアッセイ装置、スクリーニング装置及びスクリーニング方法に関するものである。
【背景技術】
【０００２】
例えば、生体分子の測定を行う手法として、基板上の複数の領域に生体分子を配置した生体分子アレイ（所謂、バイオチップ）を用い、当該生体分子をそれぞれ検体と反応させ、反応後の生体分子を蛍光測定する手法が知られている（例えば、特許文献１参照）。
【先行技術文献】
【特許文献】
【０００３】
【特許文献１】特表２００５−５１３４５７号公報
【発明の概要】
【発明が解決しようとする課題】
【０００４】
しかしながら、上記のような技術において、生体分子と検体との間に気泡（泡）が存在すると生体分子と検体の接触が不十分になるおそれがある。
【０００５】
本発明は、生体分子と検体の接触が不十分になることを抑制可能とする検出装置、検出方法、バイオアッセイ装置、スクリーニング装置及びスクリーニング方法を提供することを目的とする。
【課題を解決するための手段】
【０００６】
本発明の第１の態様に従えば、標的を含む検体を保持可能な検体保持部を有する検体保持部材を支持する支持部と、支持部に支持された検体保持部材に対し、標的と反応可能であって生体分子アレイに含まれる生体分子が検体保持部に保持された検体に浸漬し且つ生体分子が検体保持部に接触しないように生体分子アレイが保持部により保持された状態で、検体保持部に保持された検体の異物に関する情報を検出する検出部とを備える検出装置が提供される。
【０００７】
本発明の第２の態様に従えば、本発明の第１の態様の検出装置と、前記標的を含む前記検体を前記検体保持部に分注する分注部と、を備えるバイオアッセイ装置が提供される。
【０００８】
本発明の第３の態様に従えば、本発明の第２の態様のバイオアッセイ装置と、標的と生体分子との親和性を測定する測定装置と、を備えるスクリーニング装置が提供される。
【０００９】
本発明の第４の態様に従えば、標的を含む検体を保持可能な検体保持部を有する検体保持部材を支持することと、支持された検体保持部材に対し、標的と反応可能であって生体分子アレイに含まれる生体分子が検体保持部に保持された検体に浸漬し且つ生体分子が検体保持部に接触しないように生体分子アレイを保持部で保持することと、支持された検体保持部材に対して生体分子アレイが保持部により保持された状態で、検体保持部に保持された検体の異物に関する情報を検出することと、を含む検出方法が提供される。
【００１０】
本発明の第５の態様に従えば、本発明の第４の態様の検出方法を用いて前記生体分子アレイをバイオアッセイすることと、検出した情報に基づいて、標的と生体分子との親和性を測定することと、を含むスクリーニング方法が提供される。
【発明の効果】
【００１１】
本発明は、生体分子と検体の接触が不十分になることを抑制可能とする。
【図面の簡単な説明】
【００１２】
【図１】第１実施形態に係るスクリーニング装置ＳＣの概略構成を示す平面図。
【図２】第１実施形態に係るスクリーニング装置ＳＣの概略構成を示す正面図。
【図３】第１実施形態に係る反応部ＡＳの平面図。
【図４】第１実施形態に係る反応部ＡＳの断面図。
【図５】第１実施形態に係る検出部１２及び移動装置１３の平面図。
【図６】第１実施形態に係る反応部ＡＳの（ａ）は平面図、（ｂ）はホルダ１を部分的に図示を省略した平面図。
【図７】第１実施形態に係る洗浄容器３６等を示す断面図。
【図８】第１実施形態に係る乾燥装置３７等を示す断面図。
【図９】第１実施形態に係る測定部本体３９の概略構成を示す図。
【図１０】第１実施形態に係るスクリーニング装置ＳＣにおける制御系を示すブロック図。
【図１１】第１実施形態に係るスクリーニング方法の工程図。
【図１２】第１実施形態に係るアッセイ方法のフローチャート。
【図１３】第１実施形態に係るアッセイ方法の動作を示す図。
【図１４】第１実施形態に係るアッセイ方法の動作を示す図。
【図１５】第１実施形態とは別形態に係るアッセイ部ＡＳの断面図。
【図１６】第２実施形態に係るスクリーニング装置ＳＣ２の概略構成を示す平面図。
【図１７】第２実施形態に係るスクリーニング装置ＳＣ２の概略構成を示す正面図。
【図１８】第２実施形態に係る反応部ＡＳ２の断面図。
【図１９】第２実施形態に係る攪拌部５Ａの分解斜視図。
【図２０】第２実施形態に係る揺動駆動部４２、中板４４及び上板４６の分解斜視図。
【図２１】第２実施形態に係るスクリーニング装置ＳＣ２における制御系を示すブロック図。
【図２２】第３実施形態に係る反応部ＡＳ２の断面図。
【図２３】第３実施形態に係る反応部ＡＳ２の変形例を示す断面図。
【図２４】第４実施形態に係る反応部ＡＳ３の断面図。
【図２５】第４実施形態に係るスクリーニング装置ＳＣ３における制御系を示すブロック図。
【図２６】第４実施形態に係る気泡検出方法を説明するための図。
【図２７】第４実施形態に係る気泡検出方法を説明するための図。
【図２８】第４実施形態に係る気泡検出方法を説明するための図。
【図２９】第４実施形態に係る気泡検出方法を説明するための図。
【図３０】別形態に係る気泡の離脱方法を説明するための図。
【図３１】別形態に係る気泡の離脱方法を説明するための図。
【図３２】別形態に係る気泡の離脱方法を説明するための図。
【図３３】別形態に係る検出部の構成を示す断面図。
【図３４】別形態に係る検出部の構成を示す断面図。
【図３５】第１実施形態に係る検出装置の別形態を示す断面図。
【発明を実施するための形態】
【００１３】
以下、本発明の検出装置、バイオアッセイ装置、バイオアッセイ方法、スクリーニング装置及びスクリーニング方法の実施の形態を、図１ないし図１５を参照して説明する。
【００１４】
（第１実施形態）
図１は、バイオチップ（生体分子アレイ）を用いた生体分子のスクリーニング装置ＳＣの概略構成を示す平面図である。図２は、スクリーニング装置ＳＣの概略構成を示す正面図である。
【００１５】
スクリーニング装置（システム）ＳＣは、基台ＢＰ、載置部ＰＡ、反応（アッセイ）部（バイオアッセイ装置）ＡＳ、洗浄乾燥部ＣＬ、測定部ＭＳ、マニピュレータＭＰ、搬送部ＴＲ１、バーコードリーダーＢＲ及び制御部ＣＯＮＴ（図１０参照）等を備えている。
【００１６】
なお、以下の説明においては、載置部ＰＡ、反応部ＡＳ、洗浄乾燥部ＣＬ及び測定部ＭＳが配置される方向をＹ方向（Ｙ軸）、水平面内においてＹ方向と直交する方向をＸ方向（Ｘ軸）、Ｙ方向及びＸ方向と直交する方向をＺ方向（Ｚ軸）として適宜説明する。
【００１７】
載置部ＰＡは、反応部ＡＳで反応（アッセイ）処理が行われる前の検体保持部材ＷＰが載置されるものであり、基台ＢＰ上に設置されている。一例として、載置部ＰＡは、Ｘ方向に間隔をあけて４基配置されている。４つの載置部ＰＡそれぞれに載置された検体保持部材ＷＰは、同じ高さに配置されている（Ｚ方向において同じ位置にいる）。
【００１８】
反応部ＡＳは、載置部ＰＡから搬送部ＴＲ２（図１では不図示、図１０参照）によって搬送された検体保持部材ＷＰに対してアッセイ処理を行うものであり、基台ＢＰ上に設置されている。反応部ＡＳは、４つの載置部ＰＡのそれぞれについて＋Ｙ側に隣り合って配置されている。反応部ＡＳは、例えば４基配置されている。搬送部ＴＲ２は、制御部ＣＯＮＴの制御下で載置部ＰＡと反応部ＡＳとの間で検体保持部材ＷＰを搬送するものである。
【００１９】
バーコードリーダーＢＲは、検体保持部材ＷＰに設けられたバーコード及びバイオチップＢＣに設けられたバーコードを読み取るものであり、搬送部ＴＲ２による載置部ＰＡから反応部ＡＳへの検体保持部材ＷＰの搬送経路の中途に配置されている。
【００２０】
ここで検体保持部材ＷＰについて説明する。
図３は、検体保持部材ＷＰ及びマニピュレータＭＰが配置された反応部ＡＳの平面図である。図４は、検体保持部材ＷＰ及びマニピュレータＭＰが配置された反応部ＡＳをＺＸ断面で切断した断面図である。
【００２１】
検体保持部材ＷＰは、例えば、可視光に対して透光性を有している。検体保持部材ＷＰは、例えば、可視光に対して透明である。検体保持部材ＷＰは、例えば、赤外光に対して透光性を有している。検体保持部材ＷＰは、例えば、赤外光に対して透明である。検体保持部材ＷＰは、例えば、非導電性の材質で形成されている。検体保持部材ＷＰは、例えば、アクリルやポリカーボネイト等の合成樹脂やガラス等で形成されている。検体保持部材ＷＰは、平面視矩形状に形成された板状部材である。検体保持部材ＷＰは、標的を含む検体Ｋを保持する互いに区画して設けられた検体保持部３０を複数備えている。検体保持部材ＷＰには、例えば、Ｙ方向に５つ、Ｘ方向に４つ、合計２０個の検体保持部３０がマトリクス状に配列されている。検体保持部３０は、検体保持部材ＷＰの表面ＷＰａに開口する窪み（穴）によって検体Ｋの保持空間３０ａを形成する。保持空間３０ａは、検体保持部３０の例えば、平面視円形の底面３０ｂと、底面３０ｂから表面ＷＰａに向けて漸次拡径する側面３０ｃとで囲まれた円錐台状に形成されている。
一例として、検体保持部材ＷＰは、ウェルプレート（マイクロプレート、マイクロタイタープレートともいう。）である。一例として、検体保持部３０は、ウェルである。
【００２２】
反応部ＡＳは、分注部ＰＶ（図１０参照）、ホルダ（支持部）１、スペーサー２、支持板（プレート部材）３、位置決め部（弾性部）４、攪拌部５、記憶部（不図示）及び検出装置１０を備えている。分注部ＰＶは、制御部の制御下で、ホルダ１に支持された検体保持部材ＷＰの検体保持部３０に検体Ｋを分注するものである。ホルダ１は、平面視矩形状に形成された板状部材である。ホルダ１は、検体保持部材ＷＰの外形よりも小さい大きさでＺ方向に貫通する孔部（開口）１ａを備えている。ホルダ１は、孔部１ａの周囲に検体保持部材ＷＰの外形よりも大きい窪み１ｂと、窪み１ｂによって形成された段部１ｃとを備えている。
【００２３】
スペーサー２は、ホルダ１を基台ＢＰに対してＺ方向に離間して支持するものである。スペーサー２は、ホルダ１のＹ方向両側においてＸ方向に延在するように設けられている。スペーサー２は、壁である。スペーサー２は、ホルダ１と基台ＢＰとの間に空間１１を形成する。
【００２４】
支持板３は、ホルダ１の段部１ｃに載置され、表面３ａにおいて−Ｚ方向側からウェル部材ＷＰを支持するものである。段部１ｃに載置された支持板３は、孔部１ａを閉塞する。支持板３は、例えば、可視光に対して透光性を有している。支持板３は、例えば、可視光に対して透明である。支持板３は、例えば、赤外光に対して透光性を有している。支持板３は、例えば、赤外光に対して透明である。支持板３は、例えば、非導電性の材質で形成されている。支持板３は、例えば、アクリルやポリカーボネイト等の合成樹脂やガラス等で形成されている。支持板３は、例えば、検体保持部材ＷＰと同じ材料で形成されている。支持板３の表面３ａには、例えば、面状あるいはライン状の電熱線等で構成される加熱部（加熱装置）ＨＴ（図１０参照）が設けられている。加熱部ＨＴの加熱及び加熱停止は、制御部ＣＯＮＴによって制御される。
一例として、４つの反応部ＡＳ（支持板３）それぞれに保持された検体保持部材ＷＰはいずれも、同じ高さに位置している（Ｚ方向において同じ位置にある）。４つの支持板３がいずれも、同じ高さに位置している（Ｚ方向において同じ位置にある）ともいえるし、Ｚ方向において基台ＢＰから同じ距離離れているともいえる。
【００２５】
位置決め部４は、ホルダ１に対して検体保持部材ＷＰをＸ方向及びＹ方向で位置決めするものである。位置決め部４は、ＸＹ平面と平行な方向に弾性変形可能な、例えば、板バネ４ａ、板バネ４ｂ及び板バネ４ｃで形成されている。位置決め部４ａは、Ｘ方向に関して検体保持部材ＷＰの中央から＋Ｘ側及び−Ｘ側に等間隔の長さでＸ方向に延在して設けられ、検体保持部材ＷＰの−Ｙ側の辺を−Ｙ側から保持する。位置決め部４ｂは、検体保持部材ＷＰの＋Ｘ側の辺を＋Ｘ側から保持するとともに、検体保持部材ＷＰの＋Ｙ側の辺を＋Ｙ側から保持するようにＬ字状に形成され、検体保持部材ＷＰのコーナー部に配置されている。位置決め部４ｃは、検体保持部材ＷＰの−Ｘ側の辺を−Ｘ側から保持するとともに、検体保持部材ＷＰの＋Ｙ側の辺を＋Ｙ側から保持するようにＬ字状に形成され、検体保持部材ＷＰのコーナー部に配置されている。
【００２６】
加振部５は、検体保持部材ＷＰに振動を加える。検体保持部３０に保持された検体Ｋは、加振部５により加えられた振動で流動する（攪拌される）。加振部５は、固定部５ａ、移動部（揺動部）５ｂ及び駆動部５ｃを備えている。固定部５ａは、位置決め部４ａの−Ｘ側に隙間をあけた状態で対向配置されている。固定部５ａは、ホルダ１の表面１ｄに固定されている。移動部５ｂは、Ｘ方向に関して検体保持部材ＷＰの中央の位置に、位置決め部４ａと対向して配置されている。移動部５ｂは位置決め部４ａと対向する側に突出する半球面を備えている。移動部５ｂは、固定部５ａにＹ方向に移動自在に保持されている。移動部５ｂは、少なくとも位置決め部４ａに当接する位置と、位置決め部４ａから離間した位置との間を移動自在である。駆動部５ｃは制御部ＣＯＮＴの制御下で移動部５ｂをＹ方向に駆動する。
【００２７】
検出装置１０は、検出部１２及び移動装置（駆動部）１３を備えている。検出部１２は、検体保持部３０におけるバイオチップＢＣと検体Ｋとの反応領域ＲＡにおける気泡ＢＬに関する情報を検出するものである。検出部１２は、ＬＥＤアレイ（光源部）１４、コレクタレンズアレイ１５、対物レンズアレイ１６及びＣＣＤアレイ（受光部）１７を備えている。ＬＥＤアレイ１４は、検出光として、例えば、可視光を反応領域ＲＡに向けて投光するものである。コレクタレンズアレイ１５は、ＬＥＤアレイ１４からの検出光を集光するものである。対物レンズアレイ１６は、ＬＥＤアレイ１４からの検出光で照明された反応領域ＲＡからの光を集光し、ＣＣＤアレイ１７に結像させる。ＣＣＤアレイ１７は、入射した検出光により反応領域ＲＡの像を撮像する。ＣＣＤアレイ１７は、撮像信号を制御部ＣＯＮＴに出力する（図１０参照）。検出部１２は、保持部３２により保持されたバイオチップＢＣが検体Ｋに浸漬された状態において気泡が検体Ｋに含まれているか否かを光学的に検出するためのユニットである。
【００２８】
図５は、検出部１２及び移動装置１３の平面図である。
図５に示すように、ＬＥＤアレイ１４、コレクタレンズアレイ１５、対物レンズアレイ１６及びＣＣＤアレイ１７は、Ｙ方向に沿って配置された全て（５つ）の検体保持部３０が検出可能なように、Ｙ方向に沿って配置された全て（５つ）の検体保持部３０に跨る範囲にライン状に配置されている。
【００２９】
移動装置１３は、検出部１２をＸ方向に移動させるものであり、回転駆動機１８、ボールネジ１９、軸受２０、ナット部２１、リニアガイド２２及びリニア可動部２３を備えている。ボールネジ１９は、Ｘ方向に延在して設けられている。ボールネジ１９は、両端を軸受によって支持されＸ方向と平行な軸周りに回転自在となっている。ボールネジ１９は、カップリング２４によって回転駆動機１８と連結され、制御部ＣＯＮＴによって制御される回転駆動機１８の駆動によりＸ方向と平行な軸周りに回転可能である。
【００３０】
ナット部２１は、検出部１２に設けられている。ナット部２１はボールネジ１９と螺合して設けられている。リニアガイド２２は、基台ＢＰ上に、ボールネジ１９を挟んだＹ方向の両側にそれぞれ設けられている。リニア可動部２３は、検出部１２に設けられている。リニア可動部２３は、リニアガイド２２に沿って移動自在に設けられている。
【００３１】
検出装置１０（ＬＥＤアレイ１４、コレクタレンズアレイ１５、対物レンズアレイ１６、ＣＣＤアレイ１７）は、マニピュレータＭＰ（保持部３２）及び検体保持部材ＷＰ（検体保持部３０）の下方（−Ｚ側）に配置されている。反応部ＡＳにおいて、下方から上方に向かって（＋Ｚ方向に向かって）、検出装置１０（ＬＥＤアレイ１４、コレクタレンズアレイ１５、対物レンズアレイ１６、ＣＣＤアレイ１７）、検体保持部材ＷＰ（検体保持部３０）、マニピュレータＭＰ（保持部３２）の順に配置されている。
マニピュレータＭＰ（保持部３２）及び検体保持部材ＷＰ（検体保持部３０）は、マニピュレータＭＰ（保持部３２）及び検体保持部材ＷＰ（検体保持部３０）いずれよりも下方に位置する検出装置１０（ＬＥＤアレイ１４、コレクタレンズアレイ１５、対物レンズアレイ１６、ＣＣＤアレイ１７）により気泡検出処理が実行される。検出装置１０（ＬＥＤアレイ１４、コレクタレンズアレイ１５、対物レンズアレイ１６、ＣＣＤアレイ１７）は、検出装置１０（ＬＥＤアレイ１４、コレクタレンズアレイ１５、対物レンズアレイ１６、ＣＣＤアレイ１７）より上方に位置するマニピュレータＭＰ（保持部３２）及び検体保持部材ＷＰ（検体保持部３０）に対して気泡検出処理を実行する。
【００３２】
一例として、検出部１２は、バイオチップＢＣに焦点を合わせて気泡検出処理を実行する。一例として、検出部１２は、バイオチップＢＣにおいて生体分子が配置されている側の面ＢＣａに焦点を合わせて気泡検出処理を実行する。
検出部１２は、焦点を固定して構成してもよいし、焦点を可変できるように構成してもよい。
【００３３】
一例として、検出部１２の焦点（ピント）が固定されている場合、検出部１２は、気泡検出処理を実行する状態（例えば図４における検体保持部材ＷＰ及び保持部３２（バイオチップＢＣ）の配置状態）において、バイオチップＢＣに合焦するように構成する。例えば検出部１２の被写界深度を深く設定したこと等に起因して検出部１２が優れたテレセントリック性を有していなくても、気泡検出処理を実行することが可能となる。
一例として、検出部１２の焦点（ピント）が固定されている場合、検出部１２は、気泡検出処理を実行する状態（例えば図４における検体保持部材ＷＰ及び保持部３２（バイオチップＢＣ）の配置状態）において、バイオチップＢＣにおいて生体分子が配置されている側の面ＢＣａに合焦するように構成する。これにより、例えば検出部１２の被写界深度を深く設定したこと等に起因して検出部１２が優れたテレセントリック性を有していなくても、気泡検出処理を実行することが可能となる。
【００３４】
一例として、検出部１２の焦点（ピント）を調整できる場合、検出部１２は、気泡検出処理を実行する状態（例えば図４における検体保持部材ＷＰ及び保持部３２（バイオチップＢＣ）の配置状態）において、バイオチップＢＣに合焦するよう焦点（ピント）を調節する。
一例として、検出部１２の焦点（ピント）を調整できる場合、検出部１２は、気泡検出処理を実行する状態（例えば図４における検体保持部材ＷＰ及び保持部３２（バイオチップＢＣ）の配置状態）において、バイオチップＢＣにおいて生体分子が配置されている側の面ＢＣａに合焦するよう焦点（ピント）を調節する。
一例として、検出部１２は、気泡検出処理（撮像処理）を実行するときに射出する光（検出光）と同じ光を用いて焦点（ピント）調節処理を実行する。
一例として、検出部１２は、気泡検出処理（撮像処理）を実行するときに光を射出する光源と、焦点（ピント）調節処理を実行するときに光を射出する光源とが同じである（例えば、ＬＥＤアレイ１４、ＬＥＤアレイ１４Ａ、加熱部ＨＴ）。
一例として、検出部１２は、気泡検出処理（撮像処理）を実行するときに用いる光の波長と、焦点（ピント）調節処理を実行するときに用いる光の波長とが同じである（例えば、可視光、赤外光）。
【００３５】
なお、検出部１２は、気泡検出処理を実行する場合、検体保持部３０に対する検出部１２の検出位置調整（検出位置合せ）を実行してもよい。
一例として、検出部１２は、撮像処理を実行するときに射出する光（検出光）と同じ光を用いて、検体保持部３０に対する検出部１２の検出位置調整（検出位置合せ）処理を実行する。
一例として、検出部１２は、撮像処理を実行するときに光を射出する光源と、検出位置調整（検出位置合せ）処理を実行するときに光を射出する光源とが同じである（例えば、ＬＥＤアレイ１４、ＬＥＤアレイ１４Ａ、加熱部ＨＴ）。
一例として、検出部１２は、撮像処理を実行するときに用いる光の波長と、検出位置調整（検出位置合せ）処理を実行するときに用いる光の波長とが同じである（例えば、可視光、赤外光）。
【００３６】
一例として、検出部１２は、気泡検出処理を実行する状態（例えば図４における検体保持部材ＷＰ及び保持部３２（バイオチップＢＣ）の配置状態）において、検体保持部３０の底面３０ｂからバイオチップＢＣの生体分子配置面ＢＣａまでが被写界深度に含まれるように構成されている。
一例として、検出部１２は、気泡検出処理を実行する状態（例えば図４における検体保持部材ＷＰ及び保持部３２（バイオチップＢＣ）の配置状態）において、検体保持部３０の底面３０ｂから検体保持部材ＷＰの表面ＷＰａまでが被写界深度に含まれるように構成されている。
これにより、気泡検出処理の精度が低下することを抑制することが可能となる。
【００３７】
図６（ａ）は、４つのホルダ１がＸ方向に沿って配列された反応部ＡＳの平面図である。図６（ｂ）は、図６（ａ）においてホルダ１を部分的に図示を省略した平面図である。図６（ａ）及び図６（ｂ）に示すように、４つのホルダ１に支持された４つの検体保持部材ＷＰにおける検体保持部３０に対して検出部１２が対向して気泡に関する情報を検出可能なように、ボールネジ１９及びリニアガイド２２は、４つの検体保持部材ＷＰにおける検体保持部３０が跨る範囲の長さに形成されている。
【００３８】
マニピュレータＭＰは、バイオチップＢＣを吸着保持して移動可能であり、基部３１と保持部３２とを備えている。バイオチップＢＣは、検体Ｋに含まれる標的と特異的に反応可能な生体分子を有している。一例として、バイオチップＢＣは、当該バイオチップＢＣの識別情報（ＩＤ）と、当該バイオチップＢＣの生体分子に関する情報とを含むバーコード（不図示）を有している。バイオチップＢＣは、例えばシリコンで形成されている。
【００３９】
基部３１は、図３に示すように、検体保持部材ＷＰよりも僅かに小さい平面視矩形状に形成されている。保持部３２は、図４に示すように、基部３１から−Ｚ側に突出する軸状に形成されている。一例として、保持部３２は、複数の検体保持部３０と同一の個数及び同一の位置（４×５個のマトリックス状）に配置されている。
【００４０】
保持部３２は、先端に平面視円形に設けられバイオチップＢＣを保持する保持面３２ａと、保持面３２ａの端縁から＋Ｚ側に向けて漸次拡径する側面３２ｂとを有する円錐台形状を一部に備えている。一例として、側面３２ｂの傾斜角は、検体保持部３０の側面３０ｃと同一角度に形成されている。保持部３２は、保持面３２ａに開口する吸引孔３２ｃを備えている。保持面３２ａに開口する吸引孔３２ｃの直径は、負圧が漏洩しないように、吸着保持するバイオチップＢＣの外径よりも小さく形成されている。吸引孔３２ｃは、負圧吸引源３３に接続されている。負圧吸引源３３の駆動は、制御部ＣＯＮＴにより制御される（図１０参照）。基部３１及び保持部３２は、例えば、多関節ロボット等の搬送部ＴＲ３によって、少なくともＺ方向、Ｘ方向及びＹ方向に一体的に移動可能である。搬送部ＴＲ３の動作は、制御部ＣＯＮＴにより制御される（図１０参照）。搬送部ＴＲ３は、搬送部ＴＲ１に設けられている。搬送部ＴＲ１は、搬送部ＴＲ３、基部３１及び保持部３２ともにガイドレール３４に沿って移動する。ガイドレール３４は、反応部ＡＳ、洗浄乾燥部ＣＬ、測定部ＭＳとに跨って対向するようにＹ方向に延在して設けられている。
【００４１】
洗浄乾燥部ＣＬは、図７に示すように、洗浄部７１、及び図８に示すように、乾燥部７３を備えている。一例として、洗浄部７１はノズル支持部７１に支持されて洗浄乾燥槽３６内に設けられている。一例として、乾燥部７３は、ノズル支持部７４に支持されて洗浄乾燥槽３６内に設けられている。洗浄部７１は、図７に示すように、マニピュレータＭＰをＹ軸まわりに９０°回転させて、保持部３２及びバイオチップＢＣがＺＹ平面に沿って（Ｙ方向に５つ、Ｚ方向に４つ）配列されたときに、各バイオチップＢＣとそれぞれ対向する位置に設けられている。洗浄部７１は、制御部ＣＯＮＴの制御によって（図１０参照）、洗浄ノズルからバイオチップＢＣに向けて洗浄液を吐出する。
【００４２】
乾燥部７３は、図８に示すように、マニピュレータＭＰをＹ軸まわりに９０°回転させて、保持部３２及びバイオチップＢＣがＺＹ平面に沿って（Ｙ方向に５つ、Ｚ方向に４つ）配列されたときに、各バイオチップＢＣとそれぞれ対向する位置に設けられている。乾燥部７３は、制御部ＣＯＮＴの制御によって（図１０参照）、乾燥ノズルからバイオチップＢＣに向けて乾燥用の気体を噴出する。一例として、保持部３２のＺ方向の配列ピッチをＰＺとすると、乾燥部７３は、洗浄部７１に対して−Ｚ方向にＰＺ／２の距離で離間した位置に配置される。
【００４３】
測定部ＭＳは、受渡部３８（図１参照）と、測定部本体３９と、搬送部ＴＲ４（図１０参照）と、記憶部（不図示）と、測定制御部ＭＣとを備えている。受渡部３８は、洗浄乾燥処理が行われマニピュレータＭＰによって搬送されたバイオチップＢＣが保持部３２から吸着保持を解除されて載置される場所である。測定部本体３９は、図９に示すように、ステージＳＴと、カメラ４０と、支持台４１とを備えている。
【００４４】
一例として、カメラ４０は、光源と、対物レンズを有する光学系と、センサとを有している。一例として、センサは、光検出器や撮像素子等で構成されている。光検出器は、例えばＰＭＴ（photomultiplier tube）が挙げられる。撮像素子は、例えばＣＣＤ（charge coupled device）、ＣＭＯＳ（Complementary Metal Oxide Semiconductor）等が挙げられる。本実施形態では、撮像素子が用いられる場合について説明する。センサで検出（撮像）されたバイオチップＢＣに関する検出信号は測定制御部ＭＣに出力される。
【００４５】
支持台４１は、バイオチップＢＣの生体分子側の面ＢＣａとは逆側の面ＢＣｂを−Ｚ側から支持する支持部４１ａを備えている。支持部４１ａは、複数のバイオチップＢＣ毎に設けられている。
【００４６】
ステージＳＴは、測定制御部ＭＣの制御下で支持台４１とともにＸＹ平面に沿って移動可能である。
【００４７】
搬送部ＴＲ４は、受渡部３８に載置されたバイオチップＢＣを支持台４１の支持部４１ａに搬送するものである。
【００４８】
測定制御部ＭＣは、カメラ４０及びステージＳＴの動作を統括的に制御する。測定制御部ＭＣは、後述するように、気泡検出の結果に応じて測定処理を行うバイオチップＢＣに関する情報が制御部ＣＯＮＴから入力する。
【００４９】
検出部１２が射出する光を反射する反射材を設けてもよい。
一例として、反射材は、例えばマニピュレータＭＰに設けてもよい。反射材は、例えば基部３１に設けてもよいし、保持部３２に設けてもよい。反射材は、例えば基部３１の保持部３２が配置されている側の面に設けてもよいし、基部３１の保持部３２が配置されている側とは反対側（裏側）の面に設けてもよい。反射材は、保持部３２の保持面３２ａに設けてもよいし、保持部３２の側面３２ｂに設けてもよい。
【００５０】
別の例として、図３５に示すように、反射材ＲＰは、検出部１２の移動と連動して移動する部材に設けてもよい。
反射材ＲＰは、ＬＥＤアレイ１４から射出され検体保持部材ＷＰとマニピュレータＭＰ（基部３１、保持部３２）とを透過した光を反射する。ＬＥＤアレイ１４から射出され検体保持部材ＷＰとマニピュレータＭＰ（基部３１、保持部３２）とを透過した光は、反射材ＲＰにより反射されてアレイ検出器１７に向かう。これにより、気泡検出処理時にアレイ検出器１７で受光する受光量が増え、検出装置１０は、反射材ＲＰを有していない場合と比べて明るい像情報（画像）を取得することができるので、制御部ＣＯＮＴは、例えば画像処理を用いて気泡ＢＬを検出することが容易になる。反射材ＲＰは、例えば白色散乱体で構成される。
反射材ＲＰは、検出装置１０と別体で設けてもよいし、検出装置１０と一体で設けてもよい。
反射材ＲＰを検出装置１０と一体に構成する場合、反射材ＲＰは、例えばリニア可動部２３に立設（Ｚ方向）された柱で支持する構成が挙げられる。検出装置１０が移動すれば反射材ＲＰも一緒に移動するので、検出装置１０の移動に連動させるための制御部ＣＯＮＴによる制御が不要となる。
【００５１】
反射材ＲＰの設置に代えて、又は、反射材ＲＰの設置に加えて、制御部ＣＯＮＴは、ＣＣＤアレイ１７が増幅（ゲインアップ）してから撮像信号を出力してもよいし、ＣＣＤアレイ１７から出力された撮像信号を増幅（ゲインアップ）してもよいし、撮像信号に対して例えばコントラストを強調させる画像処理等を実行してもよい。
【００５２】
図１０は、スクリーニング装置ＳＣにおける制御系を示すブロック図である。
図１０に示すように、制御部ＣＯＮＴは、搬送部ＴＲ１、搬送部ＴＲ２、搬送部ＴＲ３、搬送部ＴＲ４、加熱部ＨＴ、測定制御部ＭＣ、分注部ＰＶ、駆動部５ｃ、ＬＥＤアレイ１４、回転駆動機１８、負圧吸引源３３、洗浄部７１及び乾燥部７３の動作をそれぞれ制御する。制御部ＣＯＮＴには、バーコードリーダーＢＲ及びＣＣＤアレイ１７が検出した信号がそれぞれ入力する。
【００５３】
次に、上記のスクリーニング装置ＳＣを用いて、気泡検出を含むバイオチップＢＣのスクリーニングを行う方法について、図１１及び図１２を参照して説明する。
図１１は、スクリーニング方法に係る工程図である。
スクリーニング方法は、前準備処理（ステップＳ１）、アッセイ処理（ステップＳ２）、洗浄乾燥処理（ステップＳ３）及び測定処理（ステップＳ４）を含む。
【００５４】
前準備処理（ステップＳ１）は、検体保持部材ＷＰを準備することと、バイオチップＢＣを準備することとを含む。
検体保持部材ＷＰの準備には、検体Ｋが分注される前の検体保持部材ＷＰを載置部ＰＡに載置することが含まれる。載置部ＰＡに載置された検体保持部材ＷＰは、搬送部ＴＲ２によって、載置部ＰＡから反応部ＡＳにおけるホルダ１に搬送され、位置決め部４によってホルダ１に位置決めされる。ホルダ１において検体保持部材ＷＰは、図４に示したように、支持板３に支持される。検体保持部材ＷＰが支持板３に支持されると、制御部ＣＯＮＴは加熱部ＨＴを制御して、アッセイ処理に適した温度となるように検体保持部材ＷＰを加熱する。
【００５５】
検体保持部材ＷＰを搬送する際、搬送部ＴＲ２は、バーコードリーダーＢＲによって搬送中の検体保持部材ＷＰに設けられたバーコード（不図示）を読み取らせる。バーコードリーダーＢＲによって読み取られた検体保持部材ＷＰの識別情報（例えば、分注される予定の検体Ｋの種類、検体保持部３０の位置、個数等）は、制御部ＣＯＮＴに記憶される。
【００５６】
バイオチップＢＣの準備には、例えば、１枚のウェハに複数個のバイオチップＢＣの生体分子を配置した後にダイシング等によって分離することと、分離したバイオチップＢＣの裏面ＢＣｂを、制御部ＣＯＮＴが負圧吸引源３３を作動させてマニピュレータＭＰにおける保持部３２の保持面３２ａで吸着保持することと、保持部３２に保持されたバイオチップＢＣに設けられたバーコードを読み取ることとを含む。バーコードリーダーＢＲによって読み取られたバイオチップＢＣの識別情報（ＩＤ）等は、制御部ＣＯＮＴに記憶される。
前準備処理（ステップＳ１）が完了すると、アッセイ処理（ステップＳ２）に移行する。
【００５７】
図１２は、図１１のアッセイ処理（ステップＳ２）に係るフローチャートである。
アッセイ処理が開始されると、分注部ＰＶによって検体保持部材ＷＰにおける検体保持部３０に検体Ｋを分注する（ステップＳ１１）。
【００５８】
検体保持部３０に検体Ｋが分注されると、制御部ＣＯＮＴが搬送部ＴＲ３を制御してマニピュレータＭＰを−Ｚ方向に移動させ、保持部３２に保持されたバイオチップＢＣを検体保持部３０に保持された検体Ｋに浸す（ステップＳ１２）。このとき、制御部ＣＯＮＴは、図１３に示すように、バイオチップＢＣが検体保持部材ＷＰの表面ＷＰａの高さ近傍に達するまでは保持部３２を第１速度で移動させ、バイオチップＢＣが検体保持部材ＷＰの表面ＷＰａの高さ近傍に達した後は保持部３２を第１速度より遅い第２速度で移動させる。そして、制御部ＣＯＮＴは、図１４に示すように、バイオチップＢＣの生体分子配置面ＢＣａが検体Ｋの液面に達すると、保持部３２の移動を一旦停止させた後に再度保持部３２を−Ｚ方向に移動させ、図４に示したように、検体保持部３０と離間した位置でバイオチップＢＣを検体Ｋに浸す。
【００５９】
バイオチップＢＣが検体Ｋに浸されると、気泡検出処理を実行する（ステップＳ１３）。制御部ＣＯＮＴは、例えば、図６（ａ）中、最も−Ｘ方向に配置された検体保持部材ＷＰにおける最も−Ｘ方向に位置する検体保持部３０の反応領域ＲＡが検出可能となる検出開始位置に検出部１２を移動させる。制御部ＣＯＮＴは、移動装置１３における回転駆動機１８を駆動して、ボールネジ１９を所定方向及び所定角度回転させる。ボールネジ１９の回転によりボールネジ１９と螺合するナット部２１は、−Ｘ方向に移動する。ナット部２１の−Ｘ方向への移動により、ナット部２１が設けられた検出部１２は、リニア可動部２３がリニアガイド２２に案内されて円滑に−Ｘ方向に移動して検出開始位置に位置決めされる。
【００６０】
検出部１２が検出開始位置に位置決めされると、制御部ＣＯＮＴは、ＬＥＤアレイ１４から検出光を投光させ、コレクタレンズアレイ１５及び支持板３を介して反応領域ＲＡを照明する。検出光で照明された反応領域ＲＡからの光は、支持板３及び対物レンズアレイ１６を介してＣＣＤアレイ１７に入射して受光される。ＣＣＤアレイ１７は、受光した光によって反応領域ＲＡの像を撮像し撮像信号を制御部ＣＯＮＴに出力する。ＬＥＤアレイ１４及びＣＣＤアレイ１７は、各検体保持部材ＷＰにおいてＹ方向に沿って配置された５つの検体保持部３０を検出可能な範囲に亘って設けられているため、ＣＣＤアレイ１７は検体保持部３０の反応領域ＲＡの像を列毎に一括的に撮像し、その撮像信号を制御部ＣＯＮＴに出力する。
【００６１】
この後、制御部ＣＯＮＴは、＋Ｘ方向に位置する次列の検体保持部３０に対する検出位置への検出部１２の移動と、当該列における反応領域ＲＡの気泡検出とを繰り返すことにより、全ての検体保持部材ＷＰについて反応領域ＲＡにおける気泡ＢＬの有無の検出を行う。
【００６２】
制御部ＣＯＮＴは、入力した撮像信号を用いて、例えば画像処理を行い、検体保持部３０毎に像情報を求める。制御部ＣＯＮＴは、求めた像情報と、例えば、予め撮像した気泡が存在しないときの撮像信号から得られた像情報とを比較し、反応領域ＲＡにおける気泡ＢＬの有無を検出する。制御部ＣＯＮＴは、例えばパターンマッチングを用いて気泡ＢＬの有無を検出することができる。一例として、制御部ＣＯＮＴは、撮像信号に基づいてバイオチップＢＣの輪郭（エッジ）を抽出し、抽出したバイオチップＢＣの輪郭（エッジ）で規定される領域に気泡ＢＬの像情報が存在するか否かを判定する。制御部ＣＯＮＴが抽出する輪郭（エッジ）は、保持部３２（保持面３２ａ、側面３２ｂ）の輪郭（エッジ）でもよいし、検体保持部３０（底面３０ｂ、側面３０ｃ）の輪郭（エッジ）でもよい。制御部ＣＯＮＴは、撮像信号に基づいて、バイオチップＢＣの輪郭（エッジ）及び保持部３２（保持面３２ａ、側面３２ｂ）の輪郭（エッジ）を抽出してもよいし、バイオチップＢＣの輪郭（エッジ）及び検体保持部３０（底面３０ｂ、側面３０ｃ）の輪郭（エッジ）を抽出してもよいし、バイオチップＢＣの輪郭（エッジ）と保持部３２（保持面３２ａ、側面３２ｂ）の輪郭（エッジ）と検体保持部３０（底面３０ｂ、側面３０ｃ）の輪郭（エッジ）とを抽出してもよい。制御部ＣＯＮＴは、検体保持部材ＷＰ毎に気泡ＢＬが検出されたか否かを判断し（ステップＳ１４）、気泡ＢＬが検出されない場合には、気泡ＢＬが検出されなかった結果を測定部ＭＳの測定制御部ＭＣに通知するとともに、当該検体保持部材ＷＰについては後述するアッセイ処理継続して行う（ステップＳ３０）。
【００６３】
制御部ＣＯＮＴは、ステップＳ１４で気泡ＢＬが検出された場合に以下の気泡対応処理を実行する。なお、制御部ＣＯＮＴは、気泡ＢＬが検出された検体保持部３０のアドレス（気泡検出結果）及び当該アドレスに対応するバイオチップＢＣの識別情報等を反応部ＡＳの記憶部に記憶する。気泡対応処理としては、例えば、バイオチップＢＣを一旦検体Ｋから離脱（抜去、抜取）させた後に再度検体Ｋに浸す第１モード、検体保持部材ＷＰと保持部３２（バイオチップＢＣ）との少なくとも一つに超音波振動を付与する第２モード、気泡が残存した状態でアッセイ処理を継続させ、且つ当該バイオチップＢＣについて測定処理（ステップＳ４）を実施する第３モード、及び気泡が残存した状態でアッセイ処理を継続させるものの当該バイオチップＢＣについては測定処理（ステップＳ４）を実施しない第４モードが選択可能である。第１モード及び第２モードは、反応領域ＲＡから気泡ＢＬを離脱させるための離脱処理ということもできる。上記の各モードは、ユーザー等が予め設定（モード設定）するようにしてもよいし、気泡ＢＬの検出結果に応じて制御部ＣＯＮＴが自動的に設定するようにしてもよい。
【００６４】
制御部ＣＯＮＴは、気泡ＢＬが検出されると、まず第１モードが設定されているか否かを判断し（ステップＳ１５）、設定されている場合は、上述した第１モードの動作を行わせる（ステップＳ１６）。具体的には、制御部ＣＯＮＴは、第２駆動部としての搬送部ＴＲ３を第２制御部として制御して、まず、基部３１及び保持部３２を＋Ｚ方向に移動させバイオチップＢＣを検体Ｋから離脱させる。これにより、反応領域ＲＡで検出された気泡ＢＬは検体Ｋから離脱する。このとき、制御部ＣＯＮＴは、バイオチップＢＣが検体保持部材ＷＰの表面ＷＰａよりも下方の位置で停止するように基部３１及び保持部３２の＋Ｚ方向への移動を制御する。このように、バイオチップＢＣが検体保持部材ＷＰの表面ＷＰａよりも上方へ移動させない制御を行うことにより、検体保持部３０に存在する気体の容積変化を抑制できる。すなわち、バイオチップＢＣを検体保持部材ＷＰの表面ＷＰａよりも上方へ移動させた場合には、検体保持部３０に存在する気体の容積が増大することで検体保持部３０の空間が負圧になり周辺から空気が流入する可能性があるが、バイオチップＢＣが検体保持部材ＷＰの表面ＷＰａよりも下方の位置で停止させることにより、気体が存在する空間の容積変化を抑制できる。そのため、周辺から流入する空気の量を減じて検体Ｋに気泡ＢＬが生じる可能性を減らすことができる。
【００６５】
制御部ＣＯＮＴは、バイオチップＢＣが検体Ｋから離脱すると、上述した第２速度での−Ｚ方向への移動、及びバイオチップＢＣの生体分子配置面ＢＣａが検体Ｋの液面に達したときの保持部３２の移動停止を順次行う。この後、制御部ＣＯＮＴは、再度保持部３２を−Ｚ方向に移動させ、図４に示したように、バイオチップＢＣを検体Ｋに浸す。
【００６６】
バイオチップＢＣは、一旦検体Ｋに浸されて濡れているため、再度検体Ｋに浸されるときはバイオチップＢＣ表面の濡れ性が向上している。そのため、バイオチップＢＣを再度検体Ｋに浸した場合は、バイオチップＢＣを初めて検体Ｋに浸した場合と比べて、反応領域ＲＡにおける気泡ＢＬの混入が生じづらくなる。
【００６７】
制御部ＣＯＮＴは、バイオチップＢＣが再度検体Ｋに浸された後は、ステップＳ１４で気泡ＢＬが検出されなくなるまで、ステップＳ１３の気泡検出処理、ステップＳ１６の検体Ｋに対するバイオチップＢＣの離脱・再挿入を繰り返し実行させる。
【００６８】
なお、上記の第１モードでは、検体保持部材ＷＰ毎に基部３１をＺ方向に移動させるため、全て（２０個）の保持部３２がバイオチップＢＣとともにＺ方向に移動することになる。この場合、気泡ＢＬが検出されなかった検体保持部３０についてもバイオチップＢＣは検体Ｋから離脱することになり、再度バイオチップＢＣを検体Ｋに浸す際に気泡ＢＬが検出されなかった検体保持部３０に気泡が発生する可能性がある。そのため、例えば、基部３１Ｂに対して複数の保持部３２をそれぞれ独立してＺ方向に移動可能に設け、気泡ＢＬが検出された検体保持部３０においてバイオチップＢＣを保持する保持部３２のみ、Ｚ方向に移動させて検体Ｋに対してバイオチップＢＣを離脱及び再挿入させる構成としてもよい。この構成を採る場合には、検出部１２による気泡検出は先に気泡ＢＬが検出された検体保持部３０のみを気泡ＢＬの検出対象とすることができ、検出効率を向上させることができる。
また、反応領域ＲＡの気泡ＢＬを離脱させるために保持部３２を＋Ｚ方向に移動させる際には、バイオチップＢＣを検体Ｋから離脱させないようにしてもよい。この構成では、保持部３２の＋Ｚ方向の移動に伴って検体Ｋが流動することで気泡ＢＬを反応領域ＲＡから離脱させることが可能となる。この構成を採った場合には、再度保持部３２を−Ｚ方向に移動させる際に気体を巻き込んで気泡ＢＬが生じることを抑制できる。
【００６９】
ステップＳ１５において、モード１が設定されていない場合、制御部ＣＯＮＴは、第２モードが設定されているか否かを判断し（ステップＳ１７）、設定されている場合は、上述した第２モードの動作を行わせる（ステップＳ１８）。具体的には、制御部ＣＯＮＴは、駆動部５ｃを制御して移動部５ｂをＹ方向に高周波で往復移動させる。移動部５ｂは、＋Ｙ方向に移動した際に位置決め部４ａを押圧して＋Ｙ方向に弾性変形させる。位置決め部４ａの＋Ｙ方向への弾性変形により、位置決め部４ａにより保持されていた検体保持部材ＷＰは＋Ｙ方向に移動し、検体保持部材ＷＰを＋Ｙ方向から保持する位置決め部４ｂ及び４ｃは＋Ｙ方向に弾性変形する。位置決め部４ａを押圧していた移動部５ｂが−Ｙ方向に移動すると、弾性復元力により位置決め部４ａ、４ｂ及び４ｃは検体保持部材ＷＰを保持している部位が−Ｙ方向に移動する。これにより、検体保持部材ＷＰは、−Ｙ方向に移動する。上記移動部５ｂの＋Ｙ方向への移動及び−Ｙ方向への移動が高周波で行われることにより、検体保持部材ＷＰはＹ方向に高周波で振動（例えば、超音波振動）することになる。加振部５としては、超音波振動子（圧電素子、ピエゾ）等が挙げられる。
【００７０】
また、制御部ＣＯＮＴは、搬送部ＴＲ３をＹ方向に高周波で往復移動させることにより、基部３１を介して保持部３２及びバイオチップＢＣをＹ方向に高周波で振動（例えば、超音波振動）させることが可能である。検体保持部材ＷＰと保持部３２及びバイオチップＢＣとの少なくとも一方を超音波振動させる際の振幅及び周期は、検体保持部３０と保持部３２及びバイオチップＢＣとが接触しない範囲で設定される。検体保持部材ＷＰのみに対して超音波振動を付与するか、保持部３２及びバイオチップＢＣのみに対して超音波振動を付与するか、検体保持部材ＷＰ、保持部３２及びバイオチップＢＣのいずれにも超音波振動を付与するかは第２モードが設定された際に設定される。
【００７１】
加振部５が検体保持部材ＷＰを超音波振動させることで、検体保持部３０に保持された検体Ｋに振動が伝わり、検体Ｋが流動する。加振部５が保持部３２を超音波振動させることで、検体保持部３０に保持された検体Ｋに振動が伝わり、検体Ｋが流動する。加振部５が検体保持部材ＷＰ及び保持部３２を超音波振動させることで、検体保持部３０に保持された検体Ｋに振動が伝わり、検体Ｋが流動する。検体Ｋが流動することで、検体保持部３０に保持された検体Ｋに入った気泡が除去される。
検体保持部材ＷＰと保持部３２及びバイオチップＢＣとの少なくとも一方を超音波振動させることにより、検体保持部材ＷＰと保持部３２及びバイオチップＢＣとの少なくとも一方と検体Ｋとが相対移動することになり、反応領域ＲＡに残留する気泡ＢＬが移動して反応領域ＲＡから離脱し、保持部３２の側面３２ｂと検体保持部３０の側面ｃとの間の隙間を介して除去される。検体保持部材ＷＰと保持部３２及びバイオチップＢＣとの双方に超音波振動を付与する場合には、検体保持部材ＷＰと保持部３２及びバイオチップＢＣとを互いに逆方向となるように移動方向を制御することにより、検体保持部材ＷＰとバイオチップＢＣとの相対速度が大きくなり、反応領域ＲＡの検体Ｋを大きく移動させることができ、気泡ＢＬをより離脱させやすくなる。
【００７２】
制御部ＣＯＮＴは、検体保持部材ＷＰと保持部３２及びバイオチップＢＣとの少なくとも一方に超音波振動を付与した後は、ステップＳ１４で気泡ＢＬが検出されなくなるまで、ステップＳ１３の気泡検出処理、ステップＳ１８の検体保持部材ＷＰと保持部３２及びバイオチップＢＣとの少なくとも一方に超音波振動を付与する処理を繰り返し実行させる。
【００７３】
ステップＳ１７において、モード２が設定されていない場合、制御部ＣＯＮＴは、第３モードが設定されているか否かを判断し（ステップＳ１９）、設定されている場合は、上述した第３モードの動作を行わせる（ステップＳ２０）。具体的には、まず、制御部ＣＯＮＴは、当該検体保持部材ＷＰにおいて気泡ＢＬが検出された検体保持部３０のアドレスを気泡検出結果として反応部ＡＳの記憶部に記憶（記録）する。次に、制御部ＣＯＮＴは、気泡ＢＬが検出された検体保持部３０のアドレスと、当該アドレスに対応するバイオチップＢＣに対する測定の実施方法を測定部ＭＳに指示（通知）する（ステップＳ２１）。測定部ＭＳへの指示は、気泡検出結果（検体保持部３０のアドレス）を測定部ＭＳの測定結果（検出結果（（蛍光）輝度値、（蛍光）画像））と関連付けて測定部ＭＳの記憶部に記憶するよう測定部ＭＳの測定制御部ＭＣに指示するものである。そして、制御部ＣＯＮＴは、反応部ＡＳに対してアッセイ処理を継続させる（ステップＳ３０）。
ステップＳ１９において、第３モードが設定されていない場合、制御部ＣＯＮＴは、第４モードが設定されているか否かを判断し（ステップＳ２２）、設定されている場合は、上述した第４モードの動作を行わせる（ステップＳ２３）。具体的には、まず、制御部ＣＯＮＴは、当該検体保持部材ＷＰにおいて気泡ＢＬが検出された検体保持部３０のアドレスを反応部ＡＳの記憶部に記憶（記録）する。次に、制御部ＣＯＮＴは、気泡ＢＬが検出された検体保持部３０のアドレスと、当該アドレスに対応するバイオチップＢＣについては測定を行わないことを測定部ＭＳの測定制御部ＭＣに指示する（ステップＳ２４）。すなわち、制御部ＣＯＮＴは、測定処理において測定部ＭＳが反応部ＡＳ（検出装置１０）で気泡ＢＬが検出されていない検体保持部３０のみに対して測定（検出）を実行するように測定制御部ＭＣに指示する。そして、制御部ＣＯＮＴは、反応部ＡＳに対してアッセイ処理を継続させる（ステップＳ３０）。
なお、上記第３モードで実施した、検体保持部材ＷＰにおいて気泡ＢＬが検出された検体保持部３０のアドレスを気泡検出結果として測定部ＭＳの測定制御部ＭＣに通知することは、第１モード、第２モード及び第４モードでも行ってもよい。
ステップＳ２２において、第４モードが設定されていない場合、制御部ＣＯＮＴは、測定部ＭＳの測定制御部ＭＣに対して、当該検体保持部材ＷＰにおいては、反応領域ＲＡに気泡ＢＬが残存した状態でアッセイ処理が行われたものとして、検体保持部３０のアドレスを含む情報（エラー情報）を反応結果（アッセイ結果）として通知（報知）する。
測定部ＭＳは、制御部ＣＯＮＴを介して通知された情報を測定部ＭＳの記憶部に記憶するとともに、エラーに応じた表示等の通知を行うが、これについては後述する。
【００７４】
上記の気泡対応処理が終了すると、制御部ＣＯＮＴは、加熱部ＨＴにより検体保持部材ＷＰを介して反応領域ＲＡを所定温度に加熱するとともに、上述したように、加振部５における移動部５ｂをＹ方向に往復移動させて検体保持部材ＷＰをＹ方向に揺動させる。制御部ＣＯＮＴは、超音波振動を付与する場合よりも長い周期で移動部５ｂを往復移動させる。検体保持部材ＷＰを揺動させることにより、検体Ｋが検体保持部３０で攪拌され、バイオチップＢＣと標的との反応処理が効率的に実施される。
【００７５】
アッセイ処理が完了すると、制御部ＣＯＮＴは洗浄乾燥処理（ステップＳ３）に移行させる。
制御部ＣＯＮＴは、搬送部ＴＲ３を制御して、検体保持部３０からバイオチップＢＣが離脱するように、保持部３２がバイオチップＢＣを吸着保持したままマニピュレータＭＰを＋Ｚ方向に移動させる。制御部ＣＯＮＴは搬送部ＴＲ１を制御して、マニピュレータＭＰを＋Ｙ方向に移動させ洗浄乾燥部ＣＬと対向する位置で停止させる。
【００７６】
制御部ＣＯＮＴは搬送部ＴＲ３を制御して、図７に示すように、マニピュレータＭＰをＹ軸まわりに９０°回転させて、保持部３２及びバイオチップＢＣがＺＹ平面に沿って（Ｙ方向に５つ、Ｚ方向に４つ）配列されるように移動させる。制御部ＣＯＮＴは搬送部ＴＲ３を制御して、保持部３２及びバイオチップＢＣが洗浄部７１と対向配置される位置に基部３１を−Ｚ方向に移動させる。制御部ＣＯＮＴは、保持部３２及びバイオチップＢＣが洗浄部７１と対向配置されると、洗浄部７１（洗浄ノズル）から洗浄液を吐出させバイオチップＢＣを洗浄させる。バイオチップＢＣの洗浄処理時には、例えば、マニピュレータＭＰをＺＹ平面に沿って、あるいはＸ方向に沿って往復移動させてバイオチップＢＣの洗浄を促進してもよい。
洗浄処理が終了すると、制御部ＣＯＮＴは搬送部ＴＲ３を制御して、基部３１を−Ｚ方向にＰＺ／２の距離移動させる。基部３１の−Ｚ方向へのＰＺ／２の移動により、バイオチップＢＣが乾燥部７３と対向配置される。バイオチップＢＣが乾燥部７３と対向配置されると、制御部ＣＯＮＴは乾燥部７３（乾燥ノズル）からバイオチップＢＣに向けて乾燥用の気体を噴出させる。乾燥処理中においても、例えば、マニピュレータＭＰをＺＹ平面に沿って、あるいはＸ方向に沿って往復移動させてバイオチップＢＣの乾燥を促進してもよい。
【００７７】
洗浄乾燥処理が終了すると、制御部ＣＯＮＴは搬送部ＴＲ３を制御して、保持部３２にバイオチップＢＣを吸着保持させた状態でマニピュレータＭＰを＋Ｙ方向に移動させ、測定部ＭＳと対向する位置でマニピュレータＭＰを停止させる。制御部ＣＯＮＴは、搬送部ＴＲ３を制御して、バイオチップＢＣが受渡部３８と対向する位置までマニピュレータＭＰを移動させた後に、負圧吸引部３３による負圧吸引を停止させてバイオチップＢＣを受渡部３８に載置させる。
【００７８】
バイオチップＢＣが受渡部３８に載置されると、制御部ＣＯＮＴは搬送部ＴＲ４を制御して、図９に示すように、生体分子側の面ＢＣａが＋Ｚ方向を向くように、バイオチップＢＣを搬送し支持台４１の支持部４１ａに支持させる。
【００７９】
支持部４１ａにバイオチップＢＣが搬送されると、測定制御部ＭＣは、制御部ＣＯＮＴから出力された、気泡ＢＬが検出されたものの気泡が残存した状態でアッセイ処理が行われた検体保持部３０のアドレスと、当該アドレスに対応するバイオチップＢＣについて測定処理を実施するか否かの指示を測定部ＭＳの記憶部に記録された情報に基づき判断して実行させる。気泡ＢＬが検出されたものの測定処理を実施する場合は、搬送されたバイオチップＢＣを全てに対してカメラ４０によって順次測定処理を実施させる。制御部ＣＯＮＴからの指示に基づき、気泡ＢＬが検出された検体保持部３０に対応するバイオチップＢＣについては測定処理を実施しない場合は、当該バイオチップＢＣ以外のバイオチップＢＣに対してカメラ４０によって順次測定処理を実施させる。
【００８０】
測定制御部ＭＣは、バイオチップＢＣの生体分子側に設けられた指標マーク（不図示）をカメラ４０によって撮像させることによって、支持台４１に配置されたバイオチップＢＣに対する測定のアライメント（位置合わせ）を行わせる。測定制御部ＭＣは、バイオチップＢＣのアライメントが完了した後、カメラ４０の焦点合わせ、及び生体分子の撮像が順次行われる。また、カメラ４０の視野が複数の生体分子の配置領域よりも狭い場合、測定制御部ＭＣは、複数の生体分子の配置領域を全て計測できるように、ステージＳＴの移動と複数の生体分子の配置領域の撮像とを一連の動作として複数回実施する。測定制御部ＭＣは、この一連の動作によって得られた複数の撮像結果を画像合成して測定結果を生成し、その測定結果に基づいて生体分子と上記の標的との親和性（例えば、蛍光発生の有無や蛍光の強度などに基づく反応性や結合性など）を検出する。
【００８１】
測定制御部ＭＣは、一つのバイオチップＢＣに対する測定が終了すると、ステージＳＴを制御してカメラ４０による検出位置へのバイオチップＢＣの移動と上記の測定処理とを繰り返し行わせることにより、制御部ＣＯＮＴから出力された非測定対象のバイオチップＢＣを除いた全てのバイオチップＢＣについて、生体分子と標的との親和性を検出する。
【００８２】
測定制御部ＭＣは、気泡ＢＬが検出されたバイオチップＢＣが存在する場合には、搬送されたバイオチップＢＣに気泡ＢＬが存在した状態でアッセイ処理が施された情報（エラー情報）を通知する。通知手段は、エラー情報の表示、音（音声やブザーによる警報）等を選択できる。表示による通知の場合は、２０個の検体保持部３０のうち少なくとも一つの検体保持部３０に気泡ＢＬが検出されたことを示す表示、当該気泡ＢＬが検出された全ての検体保持部３０の位置情報、さらに気泡ＢＬが検出された検体保持部３０に対応するバイオチップＢＣの識別情報等の表示が行われる。一例として、検体保持部３０の位置情報を表示する場合には、例えば、検体保持部３０の配列情報と、気泡ＢＬが検出された検体保持部３０の位置とが特定の表示で示された検体保持部材ＷＰの全体画像が表示される。この場合の特定表示は、気泡ＢＬの検出の有無で検体保持部３０が色分けされた表示、気泡ＢＬが検出された検体保持部のみ点滅する表示、気泡ＢＬが検出された検体保持部が突出されるような３Ｄ表示等を実行できる。音声によりエラー情報を通知する場合には、測定部ＭＳ、反応部ＡＳに設けたスピーカー等により通知が可能である。エラー情報の通知先としては、制御部ＣＯＮＴ、反応部ＡＳ等のスクリーニング装置ＳＣを構成する機器の他に、通信回線を通じて他の場所にある（海外を含む）工場、本社等に上記表示や音によって通知することが可能である。通信回線として、インターネット回線、電話回線あるいは専用回線等を用いることができる。
【００８３】
以上説明したように、本実施形態では、生体分子と検体の接触が不十分になることを抑制可能とする。本実施形態では、反応領域ＲＡにおける気泡ＢＬの検出を実施するため、気泡ＢＬによって生体分子と標的との接触が不十分になり測定部による生体分子に対する測定結果に悪影響を及ぼすことを回避することが可能となる。本実施形態では、検出された気泡ＢＬを反応領域から離脱させる処理を行っているため、一旦反応領域ＲＡに気泡ＢＬが生じた検体保持部３０でアッセイ処理が行われたバイオチップＢＣについても生体分子を適切に測定することが可能である。本実施形態では、バイオチップＢＣ及び保持部３２を移動させるための搬送部ＴＲ３、及び検体Ｋを攪拌するための加振部５を用いて気泡ＢＬを離脱させる処理を行っているため、気泡離脱用の機構を別途設けなくてもよく、装置の小型化に寄与することが可能であり、低価格化に寄与することが可能である。また、本実施形態では、ホルダ１が支持板３を介して検体保持部材ＷＰを支持しており孔部１ａが閉塞されるため、検出部１２に塵埃等の異物が付着して気泡検出精度に悪影響を及ぼすことを抑制できる。
【００８４】
なお、上記第１実施形態では、検体保持部材ＷＰが支持板３を介してホルダ１に支持される構成としたが、これに限定されるものではなく、例えば、図１５に示すように、ホルダ１が直接検体保持部材ＷＰを支持する構成としてもよい。この構成を採った場合には、検出部１２を検体保持部材ＷＰにより接近させることができるとともに、ＬＥＤアレイ１４からの検出光及び反応領域ＲＡからの光の損失を低下させることができ、気泡ＢＬの検出精度の向上に寄与できる。
【００８５】
（第２実施形態）
次に、検出装置の第２実施形態について、図１６ないし図２１を参照して説明する。
この図において、図１ないし図１５に示す第１実施形態の構成要素と同一の要素については同一符号を付し、その説明を省略する。第２実施形態に係るスクリーニング装置は、主として検出装置及び攪拌装置の構成が第１実施形態と異なっている。
【００８６】
図１６は、スクリーニング装置ＳＣ２の概略構成を示す平面図である。図１７は、スクリーニング装置ＳＣの概略構成を示す正面図である。図１８は、反応部ＡＳ２の断面図である。
スクリーニング装置ＳＣ２は、図１６及び図１７に示すように、載置部ＰＡが設けられず、検体保持部材ＷＰは搬送部ＴＲ２（図１９参照）によって直接反応部ＡＳ２におけるホルダ１に搬送される構成となっている。
【００８７】
図１６から図１８に示すように、検出装置１０Ａは、検出部１２Ａ及び移動装置１３Ａを備えている。検出部１２Ａは、ホルダ１の＋Ｚ方向に設けられている。検出部１２Ａは、ＬＥＤアレイ（光源部）１４Ａ、反射装置ＲＦ、対物レンズアレイ１６Ａ及びアレイ検出器（受光部）１７Ａを備えている。ＬＥＤアレイ１４Ａは、検出光として、例えば、赤外光を反応領域ＲＡに向けて投光するものである。反射装置ＲＦは、二つの反射部ＲＦ１及び反射部ＲＦ２を備えている。反射部ＲＦ１及び反射部ＲＦ２は、反応領域ＲＡからの検出光を順次反射して、Ｘ方向に沿った光路で対物レンズアレイ１６Ａを介してアレイ検出器１７Ａに入射させるものである。アレイ検出器１７Ａは、入射した検出光により反応領域ＲＡからの像を撮像するものであり、例えば、InGaAsイメージセンサで構成される。アレイ検出器１７Ａは、例えば、検出光の入射側とは逆側に、アレイ検出器１７Ａを冷やすための冷却装置（不図示）を備えている。検体保持部材ＷＰの表面ＷＰａとは逆側の裏面ＷＰｂには、赤外光を反射する反射材５２が設けられている。なお、反射材５２は、支持板３の表面３ａに設けてもよい。なお、反射材５２は、検体保持部材ＷＰ及び支持板３のいずれにも設けなくてもよい。検出部１２Ａは、保持部３２により保持されたバイオチップＢＣが検体Ｋに浸漬された状態において気泡が検体Ｋに含まれているか否かを光学的に検出するためのユニットである。
【００８８】
移動装置１３Ａは、ホルダ１を挟んだＹ方向の両側にＸ方向に沿って設けられたリニアガイド２２Ａと、リニアガイド２２Ａをガイドとして検出部１２ＡをＸ方向に駆動する駆動機１８Ａ（図２１参照）とを備えている。
【００８９】
図１９は、加振部（旋回駆動装置）５Ａの分解斜視図である。
加振部５Ａは、ホルダ１のそれぞれに設けられている。加振部５Ａは、揺動駆動部４２、リニアガイド４３Ａ、リニア可動部４３Ｂ、中板４４、リニアガイド４５Ａ、リニア可動部４５Ｂ及び上板４６を備えている。
【００９０】
図２０は、揺動駆動部４２、中板４４及び上板４６の分解斜視図である。
揺動駆動部４２は、ベース板４７に設けられた回転駆動機４８、ギアヘッド４９、カム円盤５０、カムフォロア５１を備えている。回転駆動機４８は、制御部ＣＯＮＴの制御下で、ギアヘッド４９を介してカム円盤５０及びカムフォロア５１をＺ方向と平行な回転軸ＡＸ１周りに回転駆動する。カムフォロア５１は、カム円盤５０に回転軸ＡＸ１と平行で回転軸ＡＸ１と離間した軸線ＡＸ２方向に突出して設けられている。
【００９１】
リニアガイド４３Ａは、Ｘ方向に沿って延在しリニア可動部４３ＢのＸ方向への移動をガイドするものであり、締結部材６０ａによりベース板４７に＋Ｚ方向側から締結固定される。中板４４は、Ｙ方向に延びてＺ方向に貫通する孔部４４ａを備えている。孔部４４ａには、カムフォロア５１がＹ方向についてのみ移動自在に嵌合して挿通される。中板４４は、リニア可動部４３Ｂに締結部材６０ｂにより＋Ｚ方向側から締結固定される。リニアガイド４５Ａは、Ｙ方向に沿って延在しリニア可動部４５ＢのＹ方向への移動をガイドするものであり、締結部材６０ｃにより中板４４に＋Ｚ方向側から締結固定される。上板４６は、Ｘ方向に延びてＺ方向に貫通する孔部４６ａを備えている。孔部４６ａには、カムフォロア５１がＸ方向についてのみ移動自在に嵌合して挿通される。上板４６は、リニア可動部４５Ｂに締結部材６０ｄにより＋Ｚ方向側から締結固定される。上板４６にはホルダ１が締結部材６０ｅにより＋Ｚ方向側から締結固定される。
【００９２】
図２１は、スクリーニング装置ＳＣ２における制御系を示すブロック図である。
図２１に示すように、制御部ＣＯＮＴは、搬送部ＴＲ１、ＴＲ２、ＴＲ３、ＴＲ４、加熱部ＨＴ、測定制御部ＭＣ、分注部ＰＶ、駆動部５ｃ、ＬＥＤアレイ１４Ａ、回転駆動機１８、負圧吸引源３３及び乾燥装置３７の動作をそれぞれ制御する。制御部ＣＯＮＴには、バーコードリーダーＢＲ及びＣＣＤアレイ１７が検出した信号がそれぞれ入力する。
【００９３】
上記構成のスクリーニング装置ＳＣ２において、反応領域ＲＡにおける気泡を検出する際には、上記第１実施形態と同様に、バイオチップＢＣが検体Ｋに浸された後に、制御部ＣＯＮＴが駆動機構１８Ａを制御して、例えば、最も−Ｘ方向に配置された検体保持部材ＷＰにおける最も−Ｘ方向に位置する検体保持部３０の反応領域ＲＡが検出可能となる検出開始位置に検出部１２Ａを移動させる。
【００９４】
検出部１２Ａが検出開始位置に位置決めされると、制御部ＣＯＮＴは、ＬＥＤアレイ１４Ａから反応領域ＲＡに向けて検出光（例えば、波長１．５μｍの赤外光）を投光させる。基部３１、保持部３２、バイオチップＢＣ、検体保持部材ＷＰは赤外光を透過可能であるため、検出光は、基部３１、保持部３２、バイオチップＢＣ、反応領域ＲＡ（検体Ｋ）及び検体保持部材ＷＰを順次透過した後に反射材５２で反射する。反射材５２で反射した検出光は、検体保持部材ＷＰ、反応領域ＲＡ（検体Ｋ）、バイオチップＢＣ、保持部３２及び基部３１を順次透過した後に反射部ＲＦ１に入射する。反射部ＲＦ１に入射した検出光は、反射部ＲＦ２で反射された後にＸ方向に沿った光路で対物レンズアレイ１６Ａを介してアレイ検出器１７Ａに入射して受光される。アレイ検出器１７Ａは、検体保持部３０の反応領域ＲＡの像を列毎に一括的に撮像し、その撮像信号を制御部ＣＯＮＴに出力する。アレイ検出器１７Ａに入射する検出光は、二つの反射部ＲＦ１及びＲＦ２で反射するため、アレイ検出器１７Ａは反応領域ＲＡの像を正立像で撮像することができる。
【００９５】
反応領域ＲＡに気泡ＢＬが存在する場合と存在しない場合とでは、空気を透過する検出光の光路長と、検体Ｋに含まれる液体（例えば、水やエタノール等）を透過する光路長とが異なることになる。検出光（赤外光）に対する空気の吸光度と、検出光に対する液体（水やエタノール等）の吸光度とには差があるため、反応領域ＲＡにおける気泡ＢＬの有無に応じて、検出光が吸光される量が変化する。従って、アレイ検出器１７Ａに入射する検出光も反応領域ＲＡにおける気泡ＢＬの有無、位置及び存在する気泡ＢＬの大きさに応じて変化する。従って、例えば、気泡ＢＬが存在しない場合にアレイ検出器１７Ａによって撮像された像情報を基準像情報として保存しておき、気泡検出処理で得られた像情報を基準像情報と比較することにより、検出対象の検体保持部３０における気泡ＢＬに関する情報を求めることが可能になる。
【００９６】
次に、気泡検出処理が終了した後の検体Ｋの攪拌処理について説明する。
攪拌処理を実施する際には、制御部ＣＯＮＴが揺動駆動部４２の回転駆動機４８を駆動する。回転駆動機４８の駆動によりカム円盤５０が回転軸ＡＸ１周りに所定角度回転すると、カムフォロア５１は回転角度に応じた位置に回転移動する。Ｙ方向についてのみ移動自在にカムフォロア５１が嵌合する中板４４は、リニアガイド４３ＡにガイドされてＸ方向に移動自在であるため、カムフォロア５１のＸ方向の位置に応じてＸ方向に移動する。同様に、Ｘ方向についてのみ移動自在にカムフォロア５１が嵌合する上板４６は、リニアガイド４５ＡにガイドされてＹ方向に移動自在であるため、カムフォロア５１のＹ方向の位置に応じてＹ方向に移動する。
【００９７】
ホルダ１及び検体保持部材ＷＰを支持する上板４６は、リニア可動部４５Ｂ及びリニアガイド４５Ａを介して中板４４に支持されている。そのため、ホルダ１及び検体保持部材ＷＰは、カムフォロア５１の位置に応じてＸ方向への移動とＹ方向への移動とが組み合わされて、Ｚ軸周り方向（θＺ方向）の位置を保持した状態で回転軸ＡＸ１周りに回転（旋回）する。検体保持部材ＷＰが回転軸ＡＸ１周りに回転（旋回）する際には、検体保持部３０に挿入されたバイオチップＢＣを保持する保持部３０及び基部３１も、回転軸ＡＸ１周りに制御部ＣＯＮＴの制御下で同期して回転（旋回）する。
このように検体保持部材ＷＰが回転することにより、検体保持部３０の検体Ｋが攪拌される。他の処理は、上記第１実施形態と同様である。
【００９８】
このように、本実施形態では、上記第１実施形態と同様の作用・効果が得られることに加えて、検出光として赤外光を用いているため、可視光では反応領域ＲＡの気泡ＢＬを検出しづらい場合でも、気泡ＢＬを検出できる可能性が大きくなる。本実施形態では、加振部５Ａが検体保持部３０の開口部とは異なる位置に設けられているため、加振部５Ａの作動で生じる塵埃等の異物が検体Ｋに混入することを抑制できる。本実施形態では、アレイ検出器１７Ａに対して検出光がＸ方向に沿って入射するため、冷却装置についてもアレイ検出器１７ＡとＸ方向に隣り合って設けることができる。従って、本実施形態では、検出部１２ＡがＺ方向に大型化することを抑制できる。
【００９９】
（第３実施形態）
次に、検出装置の第３実施形態について、図２２を参照して説明する。
この図において、図１６ないし図２１に示す第２実施形態の構成要素と同一の要素については同一符号を付し、その説明を省略する。第３実施形態では、検出装置の構成が第２実施形態と異なっている。
【０１００】
本実施形態の検出装置１０Ｂにおける検出部１２Ｂは、導波路５３を備えている。導波路５３は、例えば、ガラス材で形成された板状部材である。導波路５３は、検体保持部材ＷＰを裏面ＷＰｂを支持する。導波路５３の検体保持部材ＷＰと対向する面とは逆側の面には反射材５２が設けられている。導波路５３の入射部５３ａと対向してＬＥＤアレイ１４Ａが設けられている。対物レンズアレイ１６Ａ及びアレイ検出器１７Ａは、Ｚ方向に沿って順次配置されている。対物レンズアレイ１６Ａ及びアレイ検出器１７Ａは、駆動機１８Ａの駆動により、リニアガイド２２Ａをガイドとして検体保持部材ＷＰの＋Ｚ方向ＷＰ側をＸ方向に移動する。
【０１０１】
上記構成の検出装置１０Ｂにおいては、制御部ＣＯＮＴがＬＥＤアレイ１４Ａから導波路５３の入射部５３ａに向けて検出光（例えば、波長１．５μｍの赤外光）を投光させる。入射部５３ａから入射した検出光のうち、導波路５３から漏れて反応領域ＲＡを通過した検出光が対物レンズアレイ１６Ａを介してアレイ検出器１７Ａに入射して受光される。アレイ検出器１７Ａは、検体保持部３０の反応領域ＲＡの像を列毎に一括的に撮像し、その撮像信号を制御部ＣＯＮＴに出力する。検出部１２Ｂは、保持部３２により保持されたバイオチップＢＣが検体Ｋに浸漬された状態において気泡が検体Ｋに含まれているか否かを光学的に検出するためのユニットである。
他の処理は、上記第２実施形態と同様である。
【０１０２】
本実施形態では、上記第２実施形態と同様の作用・効果が得られることに加えて、検出部１２Ｂの可動部分を少なくすることで、小型化を図ることが可能となり、軽量化を図ることが可能となる。
【０１０３】
なお、赤外光を検出光として用いる場合には、例えば、図２３に示す検出装置１０Ｃのように、検体保持部材ＷＰを支持する支持板３に設けられた加熱部ＨＴを光源部とすることも可能である。この構成では、加熱時に加熱部ＨＴから生じ反応領域ＲＡを透過した赤外線が検出光として対物レンズアレイ１６Ａを介してアレイ検出器１７Ａに入射して受光されることで、図２２に示した検出装置１０Ｂと同様に、反応領域ＲＡにおける気泡ＢＬに関する情報を検出することができる。検出装置１０Ｃの検出部１２Ｃは、保持部３２に
より保持されたバイオチップＢＣが検体Ｋに浸漬された状態において気泡が検体Ｋに含まれているか否かを光学的に検出するためのユニットである。
そのため、本実施形態では、検出光の光源部を別途設けなくてもよく、装置の小型化を図ることが可能となり、装置の軽量化を図ることが可能となり、低価格化を図ることが可能となる。
【０１０４】
（第４実施形態）
次に、検出装置の第４実施形態について、図２４ないし図２８を参照して説明する。
この図において、図１ないし図１５に示す第１実施形態の構成要素と同一の要素については同一符号を付し、その説明を省略する。第４実施形態では、静電容量センサを用いて気泡ＢＬに関する情報を検出する構成について説明する。
なお、図２４においては、便宜上、加振部５、負圧吸引部３３及び搬送部ＴＲ３等の図示を省略している。
【０１０５】
本実施形態の検出装置１０Ｄは、検出部１２Ｄ及び移動装置１３Ｄを備えている。
検出部１２Ｄは、静電容量センサで構成されている。移動装置１３Ｄは、リニアガイド２２、リニア可動部２３、リニアガイド５４及びリニア可動部５５を備えている。リニアガイド５４はリニア可動部２３に設けられている。リニアガイド５４は、検出部１２ＤがＹ方向に配列された複数の検体保持部３０（反応領域ＲＡ）を検出可能な範囲に亘る長さでＹ方向に延在して形成されている。リニア可動部５５は、リニアガイド５４にガイドされてＹ方向に移動可能である。リニア可動部５５は、検体保持部材ＷＰと対向する側に検出部１２Ｄを支持する。リニア可動部２３及びリニア可動部５５の移動は、制御部ＣＯＮＴによって制御される（図２５参照）。
【０１０６】
ホルダ（支持部）１Ａは、第１支持部６１、枠部６２、第２支持部６３及び位置決め部６４を備えている。第１支持部６１はＸＹ平面と平行に配置された板状部材で形成されている。枠部６２は、第１支持部６１の端縁から＋Ｚ方向に突出して設けられた枠状部材である。枠部６２は、検体保持部材ＷＰの周囲を取り囲む大きさで突出している。第２支持部６３は、枠部６２から内側に向けて突設されている。第２支持部６３は、検体保持部材ＷＰの裏面ＷＰｂを−Ｚ側から支持する。位置決め部６４は、マニピュレータＭＰの基部３１をＸ方向及びＹ方向で位置決めするものであり、枠部６２の＋Ｚ方向の端部に設けられている。位置決め部６４は、Ｘ位置決め部６４ａ及びＹ位置決め部６４ｂを備えている。Ｘ位置決め部６４ａは、図２４中の部分的なＡ矢視部で示されるように、基部３１に＋Ｘ方向側から当接して基部３１をＸ方向に位置決めする。Ｙ位置決め部６４ｂは、図２４中の部分的なＡ矢視部で示されるように、基部３１に−Ｙ方向側から当接して基部３１をＹ方向に位置決めする。
【０１０７】
上記構成の反応部ＡＳ３においては、マニピュレータＭＰによってバイオチップＢＣを検体保持部３０の検体Ｋに浸す際に基部３１の外形が位置決め部Ｘ位置決め部６４ａ及びＹ位置決め部６４ｂの双方に当接することによって基部３１（すなわち、バイオチップＢＣ）がホルダ１Ａに対して位置決めされる。ホルダ１Ａには、移動装置１３Ｄを介して検出部１２Ｄが設けられている。ホルダ１Ａにおけるリニアガイド２２の位置は既知である。また、検出部１２ＤをＹ方向に移動させるリニア可動部５５及び検出部１２ＤをＸ方向に移動させるリニア可動部２３は、制御部ＣＯＮＴによって移動を制御される。従って、位置決め部６４によってホルダ１Ａと基部３１とを位置決めすることにより、検出部１２ＤとバイオチップＢＣとの相対位置関係は高精度で把握することが可能になる。
【０１０８】
上記構成の検出装置１０Ｄを用いて、反応領域ＲＡにおける気泡ＢＬを検出するには、制御部ＣＯＮＴがリニア可動部２３及びリニア可動部５５の移動を制御することにより、検出部１２Ｄを一つの検体保持部３０に対してスキャン（走査）させる。物質の誘電率は固有であり、例えば、検体Ｋに多く含まれる水の誘電率は約８０、空気の誘電率は約１、検体保持部材ＷＰを構成するポリスチレン樹脂の誘電率は約２．４である。このように、検体Ｋの誘電率は、検体Ｋと接する空気や検体保持部材ＷＰの誘電率よりも大きい。そのため、図２６（ａ）に示すように、反応領域ＲＡに気泡が存在しない状態で静電容量センサである検出部２０を、図２４に示すように、検体保持部材ＷＰ及び検体Ｋの近傍でスキャンさせることにより、図２６（ｂ）に示すように、検体Ｋの液面に倣った（沿った）形状の出力値が得られる。この場合、保持部３２の周囲で空気に露出する検体Ｋの液面Ｋａを検出した出力値と、バイオチップＢＣに接する液面Ｋｂを検出した出力値との出力差はＤ１で検出される。
【０１０９】
一方、図２７（ａ）に示すように、反応領域ＲＡの全体に亘って気泡が存在する場合には、保持部３２の周囲で空気に露出する検体Ｋの液面Ｋａを検出した出力値と、気泡ＢＬに接する液面Ｋｂを検出した出力値との出力差は、図２７（ｂ）に示すように、出力差Ｄ１よりも大きな出力差Ｄ２で検出される。出力差Ｄ１の値は予め求められるため、出力差Ｄ１よりも大きな出力差Ｄ２となる出力値が得られた場合には気泡ＢＬが存在すると検出することができる。
【０１１０】
また、図２８（ａ）に示すように、反応領域ＲＡ（バイオチップＢＣ）の一部に局所的に気泡ＢＬが存在する場合には、図２８（ｂ）に示すように、出力差Ｄ１と出力差Ｄ１よりも大きな出力差Ｄ３との双方を有する出力値が得られる。この場合、出力差Ｄ３が検出された位置により、気泡ＢＬの位置も特定することができる。
【０１１１】
従って、上述した検出部１２Ｄによる検体保持部３０の気泡検出と、リニア可動部２３及びリニア可動部５５の移動とを繰り返すことにより、全ての検体保持部材ＷＰに対して気泡ＢＬに関する情報を検出することが可能となる。検出部１２Ｄは、保持部３２により保持されたバイオチップＢＣが検体Ｋに浸漬された状態において気泡が検体Ｋに含まれているか否かを電気的（例えば静電的）に検出するためのユニットである。
【０１１２】
以上のように、本実施形態では、上記第１実施形態と同様の作用・効果が得られることに加えて、検出光の光源部及び反応領域ＲＡからの光を受光する受光部の双方を設けることなく検出部１２Ｄを設けることにより、容易に気泡ＢＬに関する情報を検出することが可能となる。本実施形態では、ホルダ１Ａを介して検出部１２ＤとバイオチップＢＣ（反応領域ＲＡ）とを位置決めした状態で気泡検出を行っているため、反応領域ＲＡにおける気泡の位置を高精度に検出することができる。
本実施形態では、上述の実施形態で示した支持板を介して検体保持部材ＷＰを支持する構成ではなく、ホルダ１Ａの第２支持部によって検体保持部材ＷＰの端縁のみを支持しているため、検出部１２Ｄを検体保持部材ＷＰに近接させることが可能となり、高精度の気泡検出を実行できる。
【０１１３】
なお、上記第４実施形態においては、図２８（ｂ）に示したような出力値の場合、特に、保持部３２の保持面３２ａがバイオチップＢＣよりも大きい場合には、気泡ＢＬがバイオチップＢＣと接触しているのか、あるいはバイオチップとは接触せず保持面３２ａと接触しているのかの判別が困難な場合がある。そのため、例えば、図２９（ａ）に示すように、保持面３２ａのバイオチップＢＣより外側の周縁部（例えば、バイオチップＢＣを挟んだ対角方向の両側４つ）に、誘電率が大きな指標部５６を設ける構成を採ってもよい。指標部５６は、例えば、水（検体Ｋの溶媒）の誘電率よりも大きい誘電率を有する物質で構成する。指標部５６は、例えば、チタン酸バリウム（誘電率１２００）を用いて構成する。指標部５６は、上述の個数及び配置に限るものではない。一例として、指標部５６は、１個でもよいし、複数個でもよい。指標部５６を２個で構成する場合、バイオチップＢＣの対角方向に沿ってバイオチップＢＣを挟むように配置することが挙げられる。
この構成を採ることにより、例えば、図２９（ｂ）に示すように、保持面３２ａの位置の指標が出力値の指標Ｄ４として得られるため、反応領域ＲＡにおける気泡の位置をより高精度に検出することができる。
【０１１４】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【０１１５】
例えば、上述した第１実施形態の検出部１２、第２実施形態の検出部１２Ａ及び第３実施形態の検出部１２Ｂ及び１２Ｃは、全て（例えば４つ）の検体保持部材ＷＰに跨って移動して反応領域ＲＡにおける気泡ＢＬに関する情報を検出する構成を例示したが、これに限定されるものではなく、例えば、検体保持部材ＷＰ毎に設けられてそれぞれが一つの検体保持部材ＷＰの反応領域ＲＡを検出する構成としてもよい。この場合、検出部１２、１２Ａ、１２Ｂ及び１２Ｃが、検体保持部材ＷＰにおけるＹ方向に並ぶ検体保持部３０を一括的に気泡検出し、検出部１２、１２Ａ、１２Ｂ及び１２ＣをＸ方向に移動させる構成、及び検出部１２、１２Ａ、１２Ｂ及び１２Ｃが、検体保持部材ＷＰにおけるＸ方向に並ぶ検体保持部３０を一括的に気泡検出し、検出部１２、１２Ａ、１２Ｂ及び１２ＣをＹ方向に移動させる構成のいずれを採ってもよい。また、４つの検体保持部材ＷＰを、それぞれが二つの検体保持部材ＷＰを含む第１グループ及び第２グループを設定するとともに、各グループ毎に検出部１２、１２Ａ、１２Ｂ及び１２Ｃを設けてもよい。この構成では、検出部１２、１２Ａ、１２Ｂ及び１２Ｃが各グループに含まれる二つの検体保持部材ＷＰに跨る範囲で移動して気泡ＢＬに関する情報を検出する。なお、グループ毎に検出部１２、１２Ａ、１２Ｂ及び１２Ｃを設ける場合には、検出部１２、１２Ａ、１２Ｂ及び１２Ｃを各グループ毎に移動させる移動装置は、グループ毎に設けられてもよいし、二つの検出部１２、１２Ａ、１２Ｂ及び１２Ｃを一括的に移動させる構成であってもよい。
【０１１６】
上記の検出部１２、１２Ａ、１２Ｂ及び１２Ｃは、検出対象の全ての検体保持部材ＷＰに対する気泡検出が完了すると、先の検出開始位置に一旦移動した後に、次の検体保持部材ＷＰに対して気泡検出を実行してもよいが、気泡検出を実行せずに移動する工程が生じてしまう。そのため、先の検出開始位置に戻ることなく検出終了位置に止まり、次に気泡検出を行う検体保持部材ＷＰが搬送されると、先の検出終了位置を検出開始位置として先の気泡検出とは逆の方向に移動して気泡検出を行うことが好ましい。これにより、検出部１２、１２Ａ、１２Ｂ及び１２Ｃが検出開始位置まで移動する工程を省くことが可能となる。この手順では、２度目の気泡検出が完了すると、当該２度目の気泡検出終了位置を３度目の気泡検出開始位置（１度目と同じ気泡検出開始位置）とし、２度目の気泡検出とは逆の方向（１度目の気泡検出と同じ方向）に検出部１２、１２Ａ、１２Ｂ及び１２Ｃが移動する。すなわち、検出部１２、１２Ａ、１２Ｂ及び１２Ｃは検出終了位置を次の検出のための開始位置として、移動方向を反転させながら移動することにより、検出部１２、１２Ａ、１２Ｂ及び１２Ｃを効率的に移動させることができる。
【０１１７】
また、第４実施形態の検出部１２Ｄについても、検体保持部材ＷＰ毎に設けられてそれぞれが一つの検体保持部材ＷＰの反応領域ＲＡを検出する構成としてもよい。また、検出部１２Ｄについても、検出対象の全ての検体保持部材ＷＰに対する気泡検出が完了すると、先の検出開始位置に戻ることなく検出終了位置に止まり、次に気泡検出を行う検体保持部材ＷＰが搬送されると、先の検出終了位置を検出開始位置として先の気泡検出とは逆の方向に移動して気泡検出を行うことが好ましい。
【０１１８】
例えば、上記実施形態では、反応領域ＲＡから気泡ＢＬを離脱させる工程において、バイオチップＢＣを検体Ｋに対して挿抜する構成を例示したが、この場合には、保持部３２の中心軸線と検体保持部３０の中心軸線とを一致させず、保持部３２と検体保持部３０とが接触しない範囲で双方の中心軸線を異ならせた位置でバイオチップＢＣを検体Ｋに対して挿抜する構成としてもよい。この構成では、保持部３２と検体保持部３０との隙間に分布が生じるため、バイオチップＢＣを検体Ｋに浸した際に、検体Ｋに生じる液圧分布によって隙間が小さい箇所から隙間が大きな箇所へ検体Ｋが流動することで気泡ＢＬを移動させることが可能になる。気泡ＢＬを移動させることにより、気泡ＢＬを反応領域ＲＡから離脱させることが可能となる。
【０１１９】
また、保持部３２と検体保持部３０との隙間に分布を生じさせて検体Ｋを流動させる方法としては、保持部３２と検体保持部３０とを互いの中心軸線を一致させた場合に、例えば、図３０に示すように、検体保持部３０の側面３０ｃとの隙間が側面３２ｂよりも大きくなる傾斜で側面３２ｄを保持部３２に設ける構成とすることができる。具体的には、検体保持部３０の側面３０ｃが中心軸線に対して対称である場合には、保持部３２が中心軸線に対して非対称となるように、側面３２ｂと側面３２ｄとの傾斜角を異ならせばよい。また、保持部３２が中心軸線に対して対称である場合には、検体保持部３０が中心軸線に対して非対称となるように側面３０ｃが形成されていればよい。
【０１２０】
さらに、検体Ｋを流動させる方法としては、図３１に示すように、側面３２ｂの一部に窪み３２ｅを設ける構成を採ることも可能である。側面３２ｂに窪み３２ｅを設けた場合には、保持部３２を検体Ｋに浸したときに窪み３２ｅに検体Ｋが流れ込むことにより検体Ｋを流動させることができる。また、窪み３２ｅに加えて、保持部３２における窪み３２ｅとは異なる位置に側面３２ｂから突出するフィン３２ｆを設ける構成としてもよい。この構成を採った場合には、保持部３２を検体Ｋに浸した際に、フィン３２ｆの移動によって検体Ｋにフィン３２ｆの移動方向への流動を生じさせることができる。従って、上述した検体Ｋの窪み３２ｅへの流れ込みに伴う流動と、フィン３２ｆの移動に伴う流動との相乗効果によって、より効果的に検体Ｋを流動させて気泡ＢＬを移動させることが可能となる。図３１に示した保持部３２については、窪み３２ｅ及びフィン３２ｆの双方を設ける構成を例示したが、保持部３２に窪み３２ｅのみを設けて窪み３２ｅに検体Ｋが流れ込むことにより検体Ｋを流動させる構成や、保持部３２にフィン３２ｆのみを設けてフィン３２ｆの移動によって検体Ｋにフィン３２ｆの移動方向への流動を生じさせる構成を採ってもよい。
また、気泡ＢＬを反応領域ＲＡから離脱させる方法としては、図３２に示すように、バイオチップＢＣの検体Ｋへの浸漬に影響を及ぼさない範囲で保持面３２ａをＸＹ平面に対して傾斜させる構成も好適に採用できる。この構成では、バイオチップＢＣもＸＹ平面に対して傾斜して配置されるため、バイオチップＢＣに気泡ＢＬが付着した場合でも、気泡ＢＬの浮力により気泡ＢＬが移動して反応領域ＲＡから離脱させることが可能である。
【０１２１】
また、上記実施形態では、気泡ＢＬの検出を保持部３２とは別の位置に設けた検出部１２、１２Ａ、１２Ｂ、１２Ｃ及び１２Ｄで検出する構成としたが、この構成に限られるものではなく、例えば、保持部３２に設ける構成としてもよい。例えば、図３３に示すように、検体Ｋの液面の位置を検出可能な液位センサで構成される検出部１２Ｅを保持部３２の側面３２ｂに設ける構成を採用可能である。この構成では、検体Ｋに気泡ＢＬが存在する場合に、図中、二点鎖線で示す検体Ｋの液面の位置が、図中、実線で示す検体Ｋに気泡ＢＬが存在しない場合の位置よりも高いことを検出したときに、気泡ＢＬの存在を検出できる。このように、保持部３２に検出部１２Ｅを設けることにより、装置の小型軽量化、低価格化を図ることができる。検出部１２Ｅは、上述した保持部３２に設ける構成の他に、検体保持部３０に設ける構成としてもよい。
【０１２２】
また、保持部３２に検出部を設ける構成としては、図３４に示すように、側面３２ｂにおける、検体Ｋに気泡ＢＬが存在しないときに検体Ｋと接触せず、検体Ｋに気泡ＢＬが存在して検体Ｋの液面が上昇したときに検体Ｋと接触する位置に、液位センサから構成される検出部１２Ｆを設ける構成を採ってもよい。この場合、検出部１２Ｆは、検体Ｋに気泡ＢＬが存在せず検体Ｋと接触しないときにＯＦＦ信号を出力し、検体Ｋに気泡ＢＬが存在し検体Ｋと接触したときにＯＮ信号を出力する構成とする。これにより、検出部１２ＦがＯＮ信号を出力したときに検体Ｋに気泡ＢＬが存在していることを検出できる。この構成では、図３３に示した検出部１１Ｅと比較して簡単な構成で気泡ＢＬを検出可能となる。検出部１２Ｆは、上述した保持部３２に設ける構成の他に、検体保持部３０に設ける構成としてもよい。
【０１２３】
また、上記実施形態では、検体Ｋの攪拌、あるいは検体Ｋの流動のために検体保持部材ＷＰ毎に揺動させる構成を例示したが、例えば、複数の検体保持部材ＷＰを一括して揺動させる構成としてもよい。
【０１２４】
上記実施形態では、気泡検出処理を行う場合、検体保持部材３０及びマニピュレータＭＰ（基部３１、保持部３２）の位置を固定した状態で、検出部１２、検出部１２Ａ、検出部１２Ｂ、検出部１２Ｃ、検出部１２Ｄの位置を移動させたが、これに限るものではない。
一例として、気泡検出処理を行う場合、検出部１２、検出部１２Ａ、検出部１２Ｂ、検出部１２Ｃ、検出部１２Ｄの位置を固定した状態で、検体保持部材３０及びマニピュレータＭＰ（基部３１、保持部３２）の位置を移動させてもよい。
一例として、気泡検出処理を行う場合、検体保持部材３０及びマニピュレータＭＰ（基部３１、保持部３２）の位置を移動させ、検出部１２、検出部１２Ａ、検出部１２Ｂ、検出部１２Ｃ、検出部１２Ｄの位置を移動させてもよい。
一例として、気泡検出処理を行う場合、検体保持部材３０及びマニピュレータＭＰ（基部３１、保持部３２）の位置を固定し、検出部１２、検出部１２Ａ、検出部１２Ｂ、検出部１２Ｃ、検出部１２Ｄの位置を固定してもよい。この場合、保持部３２により保持されるバイオチップＢＣすべての位置に対応させて検出部を設ければ、一括して気泡検出処理を行うことができる。
【０１２５】
また、上記実施形態では、検体保持部材ＷＰが４×５で配列された２０個の検体保持部３０を備える構成を例示したが、これに限定されるものではなく、他の個数で配列される構成や検体保持部３０が一つのみ設けられる構成であってもよい。
【０１２６】
上記第１実施形態では、一旦載置部ＰＡに載置された検体保持部材ＷＰが反応部ＡＳに搬送される構成としたが、これに限定されるものではなく、上記第２、第３、第４実施形態と同様に、直接反応部ＡＳのホルダ１に搬送される構成としてもよい。また、上記第２、第３、第４実施形態では、載置部ＰＡを設けずに、検体保持部材ＷＰが直接反応部ＡＳに搬送される構成を例示したが、これに限られるものではなく、上記第１実施形態と同様に、載置部ＰＡを設け、一旦載置部ＰＡに搬送された検体保持部材ＷＰを反応部ＡＳに搬送する構成としてもよい。
【０１２７】
検出装置１０（検出部１２、移動装置１３）は、反応部ＡＳとは別に設けてもよい。一例として、検出装置１０（検出部１２、移動装置１３）は、載置部ＰＡに設ける。載置部ＰＡが検出装置１０を有する場合における前準備処理（気泡検出処理を含む）と反応（アッセイ）処理を主に説明する。
【０１２８】
検体Ｋが分注される前の検体保持部材ＷＰは、載置部ＰＡに載置される。分注部ＰＶは、載置部ＰＡに載置された検体保持部材ＷＰの検体保持部３０に検体Ｋを分注する。マニピュレータＭＰの保持部３２により保持されたバイオチップＢＣは、検体保持部３０に保持された検体Ｋに浸漬される。検出装置１０は、保持部３２により保持されたバイオチップＢＣが検体Ｋに浸漬された状態で気泡検出処理を実行する。
【０１２９】
気泡検出処理が完了したら、マニピュレータＭＰ及び検体保持部材ＷＰは、反応部ＡＳに搬送される。この場合、マニピュレータＭＰ及び検体保持部材ＷＰは、保持部３２により保持されたバイオチップＢＣが検体Ｋに継続して浸漬したまま、すなわち気泡検出処理後にバイオチップＢＣを検体Ｋから離す（抜き取る）ことなく、載置部ＰＡから反応部ＡＳに搬送される。
【０１３０】
反応部ＡＳは、載置部ＰＡから搬送されたマニピュレータＭＰ及び検体保持部材ＷＰに対して、反応処理を実行する。反応部ＡＳによる反応処理は、例えば加熱部ＨＴによる加熱や加振部５による振動が含まれる。
検出装置１０による気泡検出処理が実行されてから反応部ＡＳによる反応処理が実行されるまでの間にバイオチップＢＣを検体Ｋから離すと（抜き取ると）、反応部ＡＳが反応処理を実行するためにバイオチップＢＣを検体Ｋに再度浸漬させることになり、このときに検体保持部３０により保持された検体Ｋに気泡が混入するおそれがある。そのため、検出装置１０による気泡検出処理が実行されてから反応部ＡＳによる反応処理が実行されるまでの間にバイオチップＢＣを検体Ｋから離さない（抜き取らない）ように、マニピュレータＭＰ及び検体保持部材ＷＰは、お互いの位置関係を維持した状態で載置部ＰＡから反応部ＡＳに搬送される。
反応処理が完了したバイオチップＢＣは、上記実施形態で説明したように、洗浄乾燥処理や測定処理が行われてもよい。
【０１３１】
上記実施形態では、検出装置が検出する対象として気泡を例に挙げて説明したが、これに限るものではなく、例えばスクリーニング装置（システム）を構成するユニット（装置）から発生したごみ（例えば金属粉）等も検出装置が検出する対象として挙げられる。上記実施形態で説明した検出装置は、異物を検出するための装置として適用することができる。
検出装置は、複数種類の異物を検出することもできる。一例として、異物として互いに異なる２種類の異物（例えば気泡とごみ）を検出装置が検出する場合、検出装置は、互いに異なる２種類の異物それぞれについて用意したパターンを用いてパターンマッチングを行うことで、異物を特定して（互いに異なる２種類の異物を分類（識別）して）検出することもできる。
【符号の説明】
【０１３２】
１…ホルダ（支持部）、  ３…支持板（基部材）、  ４…位置決め部、  ５…加振部、  ５Ａ…加振部（旋回駆動装置）、  ５ｂ…移動部（揺動部）、  １０、１０Ａ、１０Ｂ、１０Ｃ、１０Ｄ…検出装置、  １１…空間、  １２、１２Ａ、１２Ｂ、１２Ｃ、１２Ｄ…検出部、  １３…移動装置（駆動部）、  １４、１４Ａ…ＬＥＤアレイ（光源部）、  １７…ＣＣＤアレイ（受光部）、  １７Ａ…アレイ検出器（受光部）、  ３０…検体保持部、  ３０ａ…保持空間、  ３２…保持部、  ３２ａ…保持面、  ５３…導波路、  ５６…指標部、  ＡＳ、ＡＳ２、ＡＳ３…反応（アッセイ）部（バイオアッセイ装置）、  Ｋ…検体、  ＢＣ…バイオチップ（生体分子アレイ）、  ＢＬ…気泡、  ＣＯＮＴ…制御部（第２制御部）、  ＨＴ…加熱部（加熱装置）、  ＭＳ…測定装置、  ＰＶ…分注部、  ＲＡ…反応領域、  ＲＦ…反射装置、  ＳＣ、ＳＣ２、ＳＣ３…スクリーニング装置（システム）、  ＴＲ３…（第２駆動部）、  ＷＰ…検体保持部材
【図１】
2015158380.tif 000003
【図２】
2015158380.tif 000004
【図３】
2015158380.tif 000005
【図４】
2015158380.tif 000006
【図５】
2015158380.tif 000007
【図６】
2015158380.tif 000008
【図７】
2015158380.tif 000009
【図８】
2015158380.tif 000010
【図９】
2015158380.tif 000011
【図１０】
2015158380.tif 000012
【図１１】
2015158380.tif 000013
【図１２】
2015158380.tif 000014
【図１３】
2015158380.tif 000015
【図１４】
2015158380.tif 000016
【図１５】
2015158380.tif 000017
【図１６】
2015158380.tif 000018
【図１７】
2015158380.tif 000019
【図１８】
2015158380.tif 000020
【図１９】
2015158380.tif 000021
【図２０】
2015158380.tif 000022
【図２１】
2015158380.tif 000023
【図２２】
2015158380.tif 000024
【図２３】
2015158380.tif 000025
【図２４】
2015158380.tif 000026
【図２５】
2015158380.tif 000027
【図２６】
2015158380.tif 000028
【図２７】
2015158380.tif 000029
【図２８】
2015158380.tif 000030
【図２９】
2015158380.tif 000031
【図３０】
2015158380.tif 000032
【図３１】
2015158380.tif 000033
【図３２】
2015158380.tif 000034
【図３３】
2015158380.tif 000035
【図３４】
2015158380.tif 000036
【図３５】
2015158380.tif 000037